(57)【要約】      （修正有）【課題】複数の商品を集合して包装するとともに、包装箱の一部を分離させて商品を店頭等に陳列する包装箱において、商品を包装した状態において用いた接着テープが商品の展示状態において見栄えが悪くなく、重量のある商品を包装するのに支障がなく、商品の陳列状態における両側の側面部のデザインの自由度が制限されない包装箱を提供する。【解決手段】包装箱Ａは、本体部Ａ１と蓋部Ａ２とを有し、本体部Ａ１は、底面部１０と正面部２０と右側面部３０と左側面部４０と背面部５０とを有し、蓋部Ａ２は、上面部６０と右側面部７０と左側面部８０と正面部９０とを有し、上面部６０にはジッパー部６４が設けられ、右側面部７０には切目線により分離部７４が形成され、左側面部８０には切目線により分離部８４が形成されている。包装状態においては、蓋部Ａ２を閉状態とし、分離部７４から底面部１０を経て分離部８４にまで接着テープを貼着する。【選択図】図１
0003192350.tif 000002
【実用新案登録請求の範囲】
【請求項１】
シート状のブランクにより形成された包装箱であって、
本体部（Ａ１）と蓋部（Ａ２）とを有し、
本体部が、
略方形状の底面部と、
底面部の正面側の辺部から折れ線を介して連設された第１正面部（２０）と、
底面部の右側面側の辺部から折れ線を介して連設された第１右側面部（３０）と、
底面部の左側面側の辺部から折れ線を介して連設された第１左側面部（４０）と、
底面部の背面側の辺部から折れ線を介して連設された背面部（５０）と、
第１右側面部と背面部の一方から連設され、第１右側面部と背面部の他方に接着された第１糊代部（３４）と、
第１左側面部と背面部の一方から連設され、第１左側面部と背面部の他方に接着された第２糊代部（４４）と、を有し、
第１正面部と第１右側面部と第１左側面部と背面部とが底面部に対して起立して形成され、
蓋部が、
背面部の底面部とは反対側の辺部から折れ線を介して連設された略方形状の上面部（６０）と、
上面部の右側面側の辺部から折れ線を介して連設された第２右側面部で、上面部とは反対側の辺部に接する第１分離部で切目線を介して第１分離部以外の領域である第２右側面部本体部（７２）と区画して形成された第１分離部（７４）を有する第２右側面部（７０）と、
上面部の左側面側の辺部から折れ線を介して連設された第２左側面部で、上面部とは反対側の辺部に接する第２分離部で切目線を介して第２分離部以外の領域である第２左側面部本体部（８２）と区画して形成された第２分離部（８４）を有する第２左側面部（８０）と、
上面部の背面部とは反対側の辺部から折れ線を介して連設された第２正面部（９０）と、
第２右側面部と第２正面部の一方から連設され、第２右側面部と第２正面部の他方に接着された第３糊代部（７８）と、
第２左側面部と第２正面部の一方から連設され、第２左側面部と第２正面部の他方に接着された第４糊代部（８８）とを有し、
上面部と背面部間の境界位置又はその近傍に上面部と背面部とを分離するための分離手段（６４）が設けられ、
包装箱を包装状態とするには、蓋部を本体部に被せることにより、第１右側面部の外側に第１右側面部に沿って第２右側面部を位置させ、第１左側面部の外側に第１左側面部に沿って第２左側面部を位置させ、第１正面部の外側に第２正面部を位置させるとともに、第１分離部から底面部を経て第２分離部まで至る接着テープを貼着し、
本体部に収納された被収納物を陳列するには、第１分離部と第２右側面部本体部間の切目線を破断して第１分離部を第２右側面部本体部から分離し、第２分離部と第２左側面部本体部間の切目線を破断して第２分離部を第２左側面部本体部から分離し、分離手段により上面部と背面部とを分離することにより、蓋部と本体部とを分離することを特徴とする包装箱。
【請求項２】
第１正面部が、底面部の正面側の辺部から折れ線を介して連設された正面部本体（２２）と、正面部本体の底面部とは反対側の辺部から折れ線を介して連設された帯状部（２４）と、帯状部の正面部本体とは反対側の辺部から折れ線を介して連設された折返し片部で帯状部と反対側の端部に突状部（２６ａ）が形成された折返し片部（２６）とを有し、底面部における正面部本体との境界に沿って突状部が嵌合するための嵌合部（１０ａ）が形成され、第１右側面部の正面側の辺部から折れ線を介して連設された第１フラップ（３２）と、第１左側面部の正面側の辺部から折れ線を介して連設された第２フラップ（４２）とが設けられ、正面部本体と折返し片部とで第１フラップと第２フラップとを挟んだ状態で突状部を嵌合部に嵌合することにより第１正面部が組み立てられ、第１正面部の高さ方向の長さが背面部の高さ方向の長さよりも短く形成されていることを特徴とする請求項１に記載の包装箱。
【請求項３】
第１右側面部の底面部側で背面部側の角部から第１右側面部と底面部間の折れ線に対して４５度の角度で第１折れ線（３０ｓ）が形成され、第１左側面部の底面部側で背面部側の角部から第１左側面部と底面部間の折れ線に対して４５度の角度で第２折れ線（４０ｓ）が形成されることにより、第１折れ線と第２折れ線により本体部が折り畳み可能であり、
第２右側面部の上面部側で第２正面部側の角部から第２右側面部と上面部間の折れ線に対して４５度の角度で第３折れ線（７０ｓ）が形成され、第２左側面部の上面部側で第２正面部側の角部から第２左側面部と上面部間の折れ線に対して４５度の角度で第４折れ線（８０ｓ）が形成されることにより、第３折れ線と第４折れ線により蓋部が折り畳み可能であることを特徴とする請求項１又は２に記載の包装箱。
【請求項４】
包装箱であって、
本体部（Ａ１）と蓋部（Ａ２）とを有し、
本体部が、
略方形状の底面部（１１０）と、
底面部の正面側の辺部から折れ線を介して連設された第１正面部で、第１正面部における底面部側である基端側に設けられた正面部本体で底面部の正面側の辺部から折れ線を介して連設された正面部本体（１２２）と、第１正面部における正面部本体よりも先端側に設けられた折返し片部で先端側に第１突状部（１２６ａ、１２６ｂ）が形成された折返し片部（１２６）とを有する第１正面部（１２０）と、
底面部の右側面側の辺部から折れ線を介して連設された第１右側面部で、第１右側面部における底面部側である基端側に設けられた外側右側面部で底面部の右側面側の辺部から折れ線を介して連設された外側右側面部（１３２）と、第１右側面部における外側右側面部よりも先端側に設けられた内側右側面部で先端側に第２突状部（１３７ａ）が形成された内側右側面部（１３６）とを有する第１右側面部（１３０）と、
底面部の左側面側の辺部から折れ線を介して連設された第１左側面部で、第１左側面部における底面部側である基端側に設けられた外側左側面部で底面部の左側面側の辺部から折れ線を介して連設された外側左側面部（１４２）と、第１左側面部における外側左側面部よりも先端側に設けられた内側左側面部で先端側に第３突状部（１４７ａ）が形成された内側左側面部（１４６）とを有する第１左側面部（１４０）と、
正面部本体の右側面側の辺部から折れ線を介して連設されるとともに外側右側面部の正面側の辺部から折れ線を介して連設された第１接続部で、底面部における正面側で右側面側の角部から正面部本体の右側面側の辺部及びに外側右側面部の正面側の辺部に対して４５度の角度に形成された第１折れ線（２０６ａ）を介して外側右側面部側の領域を有し、外側右側面部の内側の面に接着された第１接着部（２０４）と、第１折れ線を介して正面部本体側の領域を有する第１連結部（２０２）とを有する第１接続部（２００）と、
正面部本体の左側面側の辺部から折れ線を介して連設されるとともに外側左側面部の正面側の辺部から折れ線を介して連設された第２接続部で、底面部における正面側で左側面側の角部から正面部本体の左側面側の辺部及びに外側左側面部の正面側の辺部に対して４５度の角度に形成された第２折れ線（２１６ａ）を介して外側左側面部側の領域を有し、外側左側面部の内側の面に接着された第２接着部（２１４）と、第２折れ線を介して正面部本体側の領域を有する第２連結部（２１２）とを有する第２接続部（２１０）と、
略方形状の背面部（１５０）と、
底面部と背面部の一方から連設され、底面部と背面部の他方に接着された第１糊代部（１４９）と、
背面部の右側面側の辺部から折れ線を介して連設された第３接続部で、背面部における底面側で右側面側の角部から背面部の右側面側の辺部に対して４５度の角度に形成された第３折れ線（２２６ａ）を介して背面部側とは反対側の領域を有し、外側右側面部の内側の面に接着された第３接着部（２２４）と、第３折れ線を介して背面部側の領域を有する第３連結部（２２２）とを有する第３接続部（２２０）と、
背面部の左側面側の辺部から折れ線を介して連設された第４接続部で、背面部における底面側で左側面側の角部から背面部の左側面側の辺部に対して４５度の角度に形成された第４折れ線（２３６ａ）を介して背面部側とは反対側の領域を有し、外側左側面部の内側の面に接着された第４接着部（２３４）と、第４折れ線を介して背面部側の領域を有する第４連結部（２３２）とを有する第４接続部（２３０）と、を有し、
底面部の正面側の端部には第１突状部が嵌合するための第１嵌合部（１１０ｃ、１１０ｄ）が設けられ、底面部の右側面側の端部には第２突状部が嵌合するための第２嵌合部（１１０ａ）が設けられ、底面部の左側面側の端部には第３突状部が嵌合するための第３嵌合部（１１０ｂ）が設けられ、
蓋部が、
背面部の底面部とは反対側の辺部から折れ線を介して連設された略方形状の上面部（１６０）と、
上面部の右側面側の辺部から折れ線を介して連設された第２右側面部で、上面部とは反対側の辺部に接する第１分離部で切目線を介して第１分離部以外の領域である第２右側面部本体部（１７２）と区画して形成された第１分離部（１７４）を有し、第２右側面部の上面部側で第２正面部側の角部から第２右側面部と上面部間の折れ線に対して４５度の角度で第５折れ線（１７０ｓ−１、１７０ｓ−２）が形成された第２右側面部（１７０）と、
上面部の左側面側の辺部から折れ線を介して連設された第２左側面部で、上面部とは反対側の辺部に接する第２分離部で切目線を介して第２分離部以外の領域である第２左側面部本体部（１８２）と区画して形成された第２分離部（１８４）を有し、第２左側面部の上面部側で第２正面部側の角部から第２左側面部と上面部間の折れ線に対して４５度の角度で第６折れ線（１８０ｓ−１、１８０ｓ−２）が形成された第２左側面部（１８０）と、
上面部の背面部とは反対側の辺部から折れ線を介して連設された第２正面部（１９０）と、
第２右側面部と第２正面部の一方から連設され、第２右側面部と第２正面部の他方に接着された第２糊代部（１７８）と、
第２左側面部と第２正面部の一方から連設され、第２左側面部と第２正面部の他方に接着された第３糊代部（１８８）とを有し、
本体部における底面部と第１右側面部と第１左側面部と第１接続部と第２接続部とが１枚のシート状のブランクである第１ブランク（Ｂ−１）により構成され、本体部における背面部と第３接続部と第４接続部と蓋部とが他の１枚のシート状のブランクである第２ブランク（Ｂ−２）により構成され、第１糊代部は第１ブランク及び第２ブランクにおいて第１糊代部が接着されるブランクを一方のブランクとした場合に他方のブランクに形成され、
上面部と背面部間の境界位置又はその近傍に上面部と背面部とを分離するための分離手段（１６４）が設けられ、
包装箱の折畳み状態では、本体部における第１右側面部と第１左側面部とが展開されるとともに、第２右側面部が第５折れ線を介して折曲され、第２左側面部が第６折れ線を介して折曲され、
本体部を組み立てる際には、外側右側面部と外側左側面部とを底面部に対して起立させることにより正面部と背面部が底面部に対して起立し、第１突状部を第１嵌合部に嵌合することにより正面部本体と折返し片部とが平行になり、第２突状部を第２嵌合部に嵌合することにより外側右側面部と内側右側面部とが平行になり、第３突状部を第３嵌合部にすることにより外側左側面部と内側左側面部とが平行になり、
包装箱を包装状態とするには、蓋部を本体部に被せることにより、第１右側面部の外側に第１右側面部に沿って第２右側面部を位置させ、第１左側面部の外側に第１左側面部に沿って第２左側面部を位置させ、第１正面部の外側に第２正面部を位置させるとともに、第１分離部から底面部を経て第２分離部まで至る接着テープを貼着し、
本体部に収納された被収納物を陳列するには、第１分離部と第２右側面部本体部間の切目線を破断して第１分離部を第２右側面部本体部から分離し、第２分離部と第２左側面部本体部間の切目線を破断して第２分離部を第２左側面部本体部から分離し、分離手段により上面部と背面部とを分離することにより、蓋部と本体部とを分離することを特徴とする包装箱。
【請求項５】
シート状のブランクにより形成された包装箱であって、
本体部（Ａ１）と蓋部（Ａ２）とを有し、
本体部が、
略方形状の底面部（１１０）と、
底面部の正面側の辺部から折れ線を介して連設された第１正面部で、第１正面部における底面部側である基端側に設けられた正面部本体で底面部の正面側の辺部から折れ線を介して連設された正面部本体（１２２）と、第１正面部における正面部本体よりも先端側に設けられた折返し片部で先端側に第１突状部（１２６ａ、１２６ｂ）が形成された折返し片部（１２６）とを有する第１正面部（１２０）と、
底面部の右側面側の辺部から折れ線を介して連設された第１右側面部で、第１右側面部における底面部側である基端側に設けられた外側右側面部で底面部の右側面側の辺部から折れ線を介して連設された外側右側面部（１３２）と、第１右側面部における外側右側面部よりも先端側に設けられた内側右側面部で先端側に第２突状部（１３７ａ）が形成された内側右側面部（１３６）とを有する第１右側面部（１３０）と、
底面部の左側面側の辺部から折れ線を介して連設された第１左側面部で、第１左側面部における底面部側である基端側に設けられた外側左側面部で底面部の左側面側の辺部から折れ線を介して連設された外側左側面部（１４２）と、第１左側面部における外側左側面部よりも先端側に設けられた内側左側面部で先端側に第３突状部（１４７ａ）が形成された内側左側面部（１４６）とを有する第１左側面部（１４０）と、
正面部本体の右側面側の辺部から折れ線を介して連設されるとともに外側右側面部の正面側の辺部から折れ線を介して連設された第１接続部で、底面部における正面側で右側面側の角部から正面部本体の右側面側の辺部及びに外側右側面部の正面側の辺部に対して４５度の角度に形成された第１折れ線（２０６ａ）を介して外側右側面部側の領域を有し、外側右側面部の内側の面に接着された第１接着部（２０４）と、第１折れ線を介して正面部本体側の領域を有する第１連結部（２０２）とを有する第１接続部（２００）と、
正面部本体の左側面側の辺部から折れ線を介して連設されるとともに外側左側面部の正面側の辺部から折れ線を介して連設された第２接続部で、底面部における正面側で左側面側の角部から正面部本体の左側面側の辺部及びに外側左側面部の正面側の辺部に対して４５度の角度に形成された第２折れ線（２１６ａ）を介して外側左側面部側の領域を有し、外側左側面部の内側の面に接着された第２接着部（２１４）と、第２折れ線を介して正面部本体側の領域を有する第２連結部（２１２）とを有する第２接続部（２１０）と、
底面部の背面側の辺部から折れ線を介して連設された略方形状の背面部（１５０）と、
背面部の右側面側の辺部から折れ線を介して連設された第３接続部で、背面部における底面側で右側面側の角部から背面部の右側面側の辺部に対して４５度の角度に形成された第３折れ線（２２６ａ）を介して背面部側とは反対側の領域を有し、外側右側面部の内側の面に接着された第３接着部（２２４）と、第３折れ線を介して背面部側の領域を有する第３連結部（２２２）とを有する第３接続部（２２０）と、
背面部の左側面側の辺部から折れ線を介して連設された第４接続部で、背面部における底面側で左側面側の角部から背面部の左側面側の辺部に対して４５度の角度に形成された第４折れ線（２３６ａ）を介して背面部側とは反対側の領域を有し、外側左側面部の内側の面に接着された第４接着部（２３４）と、第４折れ線を介して背面部側の領域を有する第４連結部（２３２）とを有する第４接続部（２３０）と、を有し、
底面部の正面側の端部には第１突状部が嵌合するための第１嵌合部（１１０ｃ、１１０ｄ）が設けられ、底面部の右側面側の端部には第２突状部が嵌合するための第２嵌合部（１１０ａ）が設けられ、底面部の左側面側の端部には第３突状部が嵌合するための第３嵌合部（１１０ｂ）が設けられ、
蓋部が、
背面部の底面部とは反対側の辺部から折れ線を介して連設された略方形状の上面部（１６０）と、
上面部の右側面側の辺部から折れ線を介して連設された第２右側面部で、上面部とは反対側の辺部に接する第１分離部で切目線を介して第１分離部以外の領域である第２右側面部本体部（１７２）と区画して形成された第１分離部（１７４）を有し、第２右側面部の上面部側で第２正面部側の角部から第２右側面部と上面部間の折れ線に対して４５度の角度で第５折れ線（１７０ｓ−１、１７０ｓ−２）が形成された第２右側面部（１７０）と、
上面部の左側面側の辺部から折れ線を介して連設された第２左側面部で、上面部とは反対側の辺部に接する第２分離部で切目線を介して第２分離部以外の領域である第２左側面部本体部（１８２）と区画して形成された第２分離部（１８４）を有し、第２左側面部の上面部側で第２正面部側の角部から第２左側面部と上面部間の折れ線に対して４５度の角度で第６折れ線（１８０ｓ−１、１８０ｓ−２）が形成された第２左側面部（１８０）と、
上面部の背面部とは反対側の辺部から折れ線を介して連設された第２正面部（１９０）と、
第２右側面部と第２正面部の一方から連設され、第２右側面部と第２正面部の他方に接着された第２糊代部（１７８）と、
第２左側面部と第２正面部の一方から連設され、第２左側面部と第２正面部の他方に接着された第３糊代部（１８８）とを有し、
上面部と背面部間の境界位置又はその近傍に上面部と背面部とを分離するための分離手段（１６４）が設けられ、
包装箱の折畳み状態では、本体部における第１右側面部と第１左側面部とが展開されるとともに、第２右側面部が第５折れ線を介して折曲され、第２左側面部が第６折れ線を介して折曲され、
本体部を組み立てる際には、外側右側面部と外側左側面部とを底面部に対して起立させることにより正面部と背面部が底面部に対して起立し、第１突状部を第１嵌合部に嵌合することにより正面部本体と折返し片部とが平行になり、第２突状部を第２嵌合部に嵌合することにより外側右側面部と内側右側面部とが平行になり、第３突状部を第３嵌合部にすることにより外側左側面部と内側左側面部とが平行になり、
包装箱を包装状態とするには、蓋部を本体部に被せることにより、第１右側面部の外側に第１右側面部に沿って第２右側面部を位置させ、第１左側面部の外側に第１左側面部に沿って第２左側面部を位置させ、第１正面部の外側に第２正面部を位置させるとともに、第１分離部から底面部を経て第２分離部まで至る接着テープを貼着し、
本体部に収納された被収納物を陳列するには、第１分離部と第２右側面部本体部間の切目線を破断して第１分離部を第２右側面部本体部から分離し、第２分離部と第２左側面部本体部間の切目線を破断して第２分離部を第２左側面部本体部から分離し、分離手段により上面部と背面部とを分離することにより、蓋部と本体部とを分離することを特徴とする包装箱。
【請求項６】
正面部本体と折返し片部とは、正面部本体の折返し片部側の辺部及び折返し片部の正面部本体側の辺部に沿って形成された帯状部（１２４）を介して連設され、外側右側面部と内側右側面部とは、外側右側面部の内側右側面部側の辺部及び内側右側面部の外側右側面部側の辺部に沿って形成された帯状部（１３４）を介して連設され、外側左側面部と内側左側面部とは、外側左側面部の内側左側面部側の辺部及び内側左側面部の外側左側面部側の辺部に沿って形成された帯状部（１４４）を介して連設されていることを特徴とする請求項４又は５に記載の包装箱。
【請求項７】
上記分離手段が、上面部の背面部側の端部に沿って形成されたジッパー部で、背面部と切目線を介して連設されるとともに上面部のジッパー部以外の領域である上面部本体と切目線を介して連設されたジッパー部であり、ジッパー部を包装箱から取り除くことにより上面部と背面部とが分離することを特徴とする請求項１又は２又は３又は４又は５又は６に記載の包装箱。
【請求項８】
上記分離手段が、背面部の上面部側の端部に沿って形成されたジッパー部で、上面部と切目線を介して連設されるとともに背面部のジッパー部以外の領域である背面部本体と切目線を介して連設されたジッパー部であり、ジッパー部を包装箱から取り除くことにより上面部と背面部とが分離することを特徴とする請求項１又は２又は３又は４又は５又は６に記載の包装箱。
【請求項９】
上記分離手段が、上面部と背面部間の折れ線に沿って内側に固定して設けられたテープ状部材であり、該テープ状部材を上面部と背面部間の折れ線に沿って引っ張ることにより上面部と背面部間の折れ線が破断されることを特徴とする請求項１又は２又は３又は４又は５又は６に記載の包装箱。
【請求項１０】
上記分離手段が、上面部と背面部間の折れ線に沿って形成されたミシン目状の切目線であることを特徴とする請求項１又は２又は３又は４又は５又は６に記載の包装箱。
【考案の詳細な説明】
【技術分野】
【０００１】
本考案は、包装箱に関するものであり、複数の商品を集合して包装するとともに、包装箱の一部を分離させて商品を店頭等に陳列する包装箱に関するものである。
【背景技術】
【０００２】
従来より、収納した個々の商品を搬送用の包装箱から取出さずに、そのまま展示できるように構成した包装箱として、特許文献１に記載の包装箱が存在する。
【０００３】
この特許文献１の図１３、図１４には、蓋部４１の上面部４２を本体部３２の後面部３６に折曲げ線３６ａを介して連続して形成し、この上面部４２と折曲げ線４３ａを介して連続する前面部４３の下端縁部を本体部３２の前面部３３の内側に差込むか、両前面部３３，４３の端縁を突き合せて接合する構成とし、本体部３２に個装商品Ａを集合収納した後、蓋部４１を閉蓋して前面部４３の下部を本体部３２の前面部３３に接合させてこの接合部に接着テープＴを貼着して止着することにより蓋部４１は本体部３２に固定されて包装箱３１が構成される点が開示されている。
【０００４】
また、特許文献２の紙箱においては、菓子ケーキ類等の食品や花ギフト等の雑貨を収容する紙箱において、四角形状に形成した底面部１１の周囲の辺より前面部１２と後面部１３と側面部１４とを立ち上げた本体と、四角形状に形成した上面部３１の周囲の辺より前面部３２と側面部３３とを立ち下げた蓋体とを備え、該蓋体の後部と本体の後部、及び、蓋体の前部及び本体の前部にそれぞれ係合部を構成することにより設けた点が開示されている。
【０００５】
また、出願人は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有し、外箱部の片部を外側に回動することにより分離部が片部に接着した状態のまま内箱部から分離し、その後、外箱部を上方に引き上げることにより、内箱部に収納された状態の商品を陳列することができるものとして特許文献３に示す先行技術文献についての出願を行っている。
【先行技術文献】
【特許文献】
【０００６】
【特許文献１】特開２００３−１２８０５２号公報
【特許文献２】特開２００７−２２３６２３号公報
【特許文献３】実用新案登録第３１３９９４８号公報
【考案の概要】
【考案が解決しようとする課題】
【０００７】
しかし、特許文献１に記載の包装箱においては、蓋部４１の前面部４３と本体部３２の前面部３３とを接着テープＴを貼着するので、蓋部４１を本体部３２から取り外して商品を展示する際にはテープを剥がすが、テープを剥がした跡（テープ跡）が残ってしまい、特に、該テープ跡は本体部３２の正面側に残るので、商品を展示する際に見栄えが悪いという問題があった。また、特許文献１の包装箱においては、本体部３２の底面側を止着するために前面部４から底面を経て後面部１１にかけて接着テープを貼着するので、商品の展示状態において、本体部３２の正面側に接着テープが見えてしまい、その点でも見栄えが悪いという問題がある。
【０００８】
また、特許文献２の紙箱においては、後側の上側において、係合孔２４に係合片４２を係合させ、前側の下側において、係合孔２３に係合片４３を係合させる構成となっているので、内部に商品を包装した状態における強度が弱く、特許文献２におけるように、菓子ケーキ等の軽い商品である場合には問題なくても、重量のある商品を包装するには適していないという問題があった。
【０００９】
また、特許文献３の包装箱においては、内箱部Ａ１における左右両側の側面部２０、３０において、分離部２４、３４がミシン目を介して本体部２２、３２と連設されていて、ミシン目を破断することにより分離部２４、３４が分離する構成となっているので、外箱部Ａ２を内箱部Ａ１から取り外した商品の陳列状態では、分離部２４、３４が除かれた状態となるため、内箱部Ａ１の両側の側面部２０、３０のデザインの自由度が制限されてしまう。つまり、分離部２４、３４の形状としては、外箱部Ａ２との接着領域をなるべく大きくするために方形状に近い形状とすることが望ましいことから、分離部２４、３４を方形状に近い形状とすることにより、分離部２４、３４が除去された状態の側面部２０、３０のデザインの自由度が制限されてしまう（つまり、商品の陳列状態における側面部２０、３０のデザインの自由度が制限されてしまう）。また、特許文献３の内箱部Ａ１における底面部５０はいわゆるワンタッチ底であるので、重量の重い商品を収納した場合には、底が抜けてしまうおそれがある。
【００１０】
そこで、本考案は、複数の商品を集合して包装するとともに、包装箱の一部を分離させて商品を店頭等に陳列する包装箱において、商品を包装した状態において用いた接着テープが商品の展示状態において見栄えを悪くすることがないとともに、重量のある商品を包装するのに支障がなく、かつ、商品の陳列状態における両側の側面部のデザインの自由度が制限されない包装箱を提供することを目的とするものである。
【課題を解決するための手段】
【００１１】
本考案は上記問題点を解決するために創作されたものであって、第１には、シート状のブランクにより形成された包装箱であって、本体部（Ａ１）と蓋部（Ａ２）とを有し、本体部が、略方形状の底面部と、底面部の正面側の辺部から折れ線を介して連設された第１正面部（２０）と、底面部の右側面側の辺部から折れ線を介して連設された第１右側面部（３０）と、底面部の左側面側の辺部から折れ線を介して連設された第１左側面部（４０）と、底面部の背面側の辺部から折れ線を介して連設された背面部（５０）と、第１右側面部と背面部の一方から連設され、第１右側面部と背面部の他方に接着された第１糊代部（３４）と、第１左側面部と背面部の一方から連設され、第１左側面部と背面部の他方に接着された第２糊代部（４４）と、を有し、第１正面部と第１右側面部と第１左側面部と背面部とが底面部に対して起立して形成され、蓋部が、背面部の底面部とは反対側の辺部から折れ線を介して連設された略方形状の上面部（６０）と、上面部の右側面側の辺部から折れ線を介して連設された第２右側面部で、上面部とは反対側の辺部に接する第１分離部で切目線を介して第１分離部以外の領域である第２右側面部本体部（７２）と区画して形成された第１分離部（７４）を有する第２右側面部（７０）と、上面部の左側面側の辺部から折れ線を介して連設された第２左側面部で、上面部とは反対側の辺部に接する第２分離部で切目線を介して第２分離部以外の領域である第２左側面部本体部（８２）と区画して形成された第２分離部（８４）を有する第２左側面部（８０）と、上面部の背面部とは反対側の辺部から折れ線を介して連設された第２正面部（９０）と、第２右側面部と第２正面部の一方から連設され、第２右側面部と第２正面部の他方に接着された第３糊代部（７８）と、第２左側面部と第２正面部の一方から連設され、第２左側面部と第２正面部の他方に接着された第４糊代部（８８）とを有し、上面部と背面部間の境界位置又はその近傍に上面部と背面部とを分離するための分離手段（６４）が設けられ、包装箱を包装状態とするには、蓋部を本体部に被せることにより、第１右側面部の外側に第１右側面部に沿って第２右側面部を位置させ、第１左側面部の外側に第１左側面部に沿って第２左側面部を位置させ、第１正面部の外側に第２正面部を位置させるとともに、第１分離部から底面部を経て第２分離部まで至る接着テープを貼着し、本体部に収納された被収納物を陳列するには、第１分離部と第２右側面部本体部間の切目線を破断して第１分離部を第２右側面部本体部から分離し、第２分離部と第２左側面部本体部間の切目線を破断して第２分離部を第２左側面部本体部から分離し、分離手段により上面部と背面部とを分離することにより、蓋部と本体部とを分離することを特徴とする。
【００１２】
この第１の構成の包装箱においては、接着テープを剥がした跡は底面部の下面に残るのみであり、また、接着テープにおける底面部から露出した部分を除外した場合でも接着テープは底面部の下面に残るのみであるので、見栄えが悪くなることがなく、結果として、商品を包装した状態において用いた接着テープが商品の展示状態において見栄えを悪くすることがない。
【００１３】
また、本体部と蓋部とは上面部と背面部間の折れ線を介して連設されているので、係合孔に係合片を係合させて連結する場合と比べて、箱全体の強度を保つことができ、また、包装状態では、接着テープを分離部から底面部を経て分離部にかけて接着テープを貼着するので、包装状態において十分強度を保つことができ、重量のある商品を包装するのに支障がない。また、底面部は、１枚の平板状の部材により形成されているので、重量の重い商品を収納しても、底面部の底が抜けるおそれがない。
【００１４】
また、第１右側面部の一部や第１左側面部の一部が分離して除かれることがないので、商品の陳列状態における両側の側面部のデザインの自由度が制限されることがない。
【００１５】
また、第２には、上記第１の構成において、第１正面部が、底面部の正面側の辺部から折れ線を介して連設された正面部本体（２２）と、正面部本体の底面部とは反対側の辺部から折れ線を介して連設された帯状部（２４）と、帯状部の正面部本体とは反対側の辺部から折れ線を介して連設された折返し片部で帯状部と反対側の端部に突状部（２６ａ）が形成された折返し片部（２６）とを有し、底面部における正面部本体との境界に沿って突状部が嵌合するための嵌合部（１０ａ）が形成され、第１右側面部の正面側の辺部から折れ線を介して連設された第１フラップ（３２）と、第１左側面部の正面側の辺部から折れ線を介して連設された第２フラップ（４２）とが設けられ、正面部本体と折返し片部とで第１フラップと第２フラップとを挟んだ状態で突状部を嵌合部に嵌合することにより第１正面部が組み立てられ、第１正面部の高さ方向の長さが背面部の高さ方向の長さよりも短く形成されていることを特徴とする。
【００１６】
また、第３には、上記第１又は第２の構成において、第１右側面部の底面部側で背面部側の角部から第１右側面部と底面部間の折れ線に対して４５度の角度で第１折れ線（３０ｓ）が形成され、第１左側面部の底面部側で背面部側の角部から第１左側面部と底面部間の折れ線に対して４５度の角度で第２折れ線（４０ｓ）が形成されることにより、第１折れ線と第２折れ線により本体部が折り畳み可能であり、第２右側面部の上面部側で第２正面部側の角部から第２右側面部と上面部間の折れ線に対して４５度の角度で第３折れ線（７０ｓ）が形成され、第２左側面部の上面部側で第２正面部側の角部から第２左側面部と上面部間の折れ線に対して４５度の角度で第４折れ線（８０ｓ）が形成されることにより、第３折れ線と第４折れ線により蓋部が折り畳み可能であることを特徴とする。これにより、包装箱を折り畳んだ状態とすることができる。
【００１７】
また、第４には、包装箱であって、本体部（Ａ１）と蓋部（Ａ２）とを有し、本体部が、略方形状の底面部（１１０）と、底面部の正面側の辺部から折れ線を介して連設された第１正面部で、第１正面部における底面部側である基端側に設けられた正面部本体で底面部の正面側の辺部から折れ線を介して連設された正面部本体（１２２）と、第１正面部における正面部本体よりも先端側に設けられた折返し片部で先端側に第１突状部（１２６ａ、１２６ｂ）が形成された折返し片部（１２６）とを有する第１正面部（１２０）と、底面部の右側面側の辺部から折れ線を介して連設された第１右側面部で、第１右側面部における底面部側である基端側に設けられた外側右側面部で底面部の右側面側の辺部から折れ線を介して連設された外側右側面部（１３２）と、第１右側面部における外側右側面部よりも先端側に設けられた内側右側面部で先端側に第２突状部（１３７ａ）が形成された内側右側面部（１３６）とを有する第１右側面部（１３０）と、底面部の左側面側の辺部から折れ線を介して連設された第１左側面部で、第１左側面部における底面部側である基端側に設けられた外側左側面部で底面部の左側面側の辺部から折れ線を介して連設された外側左側面部（１４２）と、第１左側面部における外側左側面部よりも先端側に設けられた内側左側面部で先端側に第３突状部（１４７ａ）が形成された内側左側面部（１４６）とを有する第１左側面部（１４０）と、正面部本体の右側面側の辺部から折れ線を介して連設されるとともに外側右側面部の正面側の辺部から折れ線を介して連設された第１接続部で、底面部における正面側で右側面側の角部から正面部本体の右側面側の辺部及びに外側右側面部の正面側の辺部に対して４５度の角度に形成された第１折れ線（２０６ａ）を介して外側右側面部側の領域を有し、外側右側面部の内側の面に接着された第１接着部（２０４）と、第１折れ線を介して正面部本体側の領域を有する第１連結部（２０２）とを有する第１接続部（２００）と、正面部本体の左側面側の辺部から折れ線を介して連設されるとともに外側左側面部の正面側の辺部から折れ線を介して連設された第２接続部で、底面部における正面側で左側面側の角部から正面部本体の左側面側の辺部及びに外側左側面部の正面側の辺部に対して４５度の角度に形成された第２折れ線（２１６ａ）を介して外側左側面部側の領域を有し、外側左側面部の内側の面に接着された第２接着部（２１４）と、第２折れ線を介して正面部本体側の領域を有する第２連結部（２１２）とを有する第２接続部（２１０）と、略方形状の背面部（１５０）と、底面部と背面部の一方から連設され、底面部と背面部の他方に接着された第１糊代部（１４９）と、背面部の右側面側の辺部から折れ線を介して連設された第３接続部で、背面部における底面側で右側面側の角部から背面部の右側面側の辺部に対して４５度の角度に形成された第３折れ線（２２６ａ）を介して背面部側とは反対側の領域を有し、外側右側面部の内側の面に接着された第３接着部（２２４）と、第３折れ線を介して背面部側の領域を有する第３連結部（２２２）とを有する第３接続部（２２０）と、背面部の左側面側の辺部から折れ線を介して連設された第４接続部で、背面部における底面側で左側面側の角部から背面部の左側面側の辺部に対して４５度の角度に形成された第４折れ線（２３６ａ）を介して背面部側とは反対側の領域を有し、外側左側面部の内側の面に接着された第４接着部（２３４）と、第４折れ線を介して背面部側の領域を有する第４連結部（２３２）とを有する第４接続部（２３０）と、を有し、底面部の正面側の端部には第１突状部が嵌合するための第１嵌合部（１１０ｃ、１１０ｄ）が設けられ、底面部の右側面側の端部には第２突状部が嵌合するための第２嵌合部（１１０ａ）が設けられ、底面部の左側面側の端部には第３突状部が嵌合するための第３嵌合部（１１０ｂ）が設けられ、蓋部が、背面部の底面部とは反対側の辺部から折れ線を介して連設された略方形状の上面部（１６０）と、上面部の右側面側の辺部から折れ線を介して連設された第２右側面部で、上面部とは反対側の辺部に接する第１分離部で切目線を介して第１分離部以外の領域である第２右側面部本体部（１７２）と区画して形成された第１分離部（１７４）を有し、第２右側面部の上面部側で第２正面部側の角部から第２右側面部と上面部間の折れ線に対して４５度の角度で第５折れ線（１７０ｓ−１、１７０ｓ−２）が形成された第２右側面部（１７０）と、上面部の左側面側の辺部から折れ線を介して連設された第２左側面部で、上面部とは反対側の辺部に接する第２分離部で切目線を介して第２分離部以外の領域である第２左側面部本体部（１８２）と区画して形成された第２分離部（１８４）を有し、第２左側面部の上面部側で第２正面部側の角部から第２左側面部と上面部間の折れ線に対して４５度の角度で第６折れ線（１８０ｓ−１、１８０ｓ−２）が形成された第２左側面部（１８０）と、上面部の背面部とは反対側の辺部から折れ線を介して連設された第２正面部（１９０）と、第２右側面部と第２正面部の一方から連設され、第２右側面部と第２正面部の他方に接着された第２糊代部（１７８）と、第２左側面部と第２正面部の一方から連設され、第２左側面部と第２正面部の他方に接着された第３糊代部（１８８）とを有し、本体部における底面部と第１右側面部と第１左側面部と第１接続部と第２接続部とが１枚のシート状のブランクである第１ブランク（Ｂ−１）により構成され、本体部における背面部と第３接続部と第４接続部と蓋部とが他の１枚のシート状のブランクである第２ブランク（Ｂ−２）により構成され、第１糊代部は第１ブランク及び第２ブランクにおいて第１糊代部が接着されるブランクを一方のブランクとした場合に他方のブランクに形成され、上面部と背面部間の境界位置又はその近傍に上面部と背面部とを分離するための分離手段（１６４）が設けられ、包装箱の折畳み状態では、本体部における第１右側面部と第１左側面部とが展開されるとともに、第２右側面部が第５折れ線を介して折曲され、第２左側面部が第６折れ線を介して折曲され、本体部を組み立てる際には、外側右側面部と外側左側面部とを底面部に対して起立させることにより正面部と背面部が底面部に対して起立し、第１突状部を第１嵌合部に嵌合することにより正面部本体と折返し片部とが平行になり、第２突状部を第２嵌合部に嵌合することにより外側右側面部と内側右側面部とが平行になり、第３突状部を第３嵌合部にすることにより外側左側面部と内側左側面部とが平行になり、包装箱を包装状態とするには、蓋部を本体部に被せることにより、第１右側面部の外側に第１右側面部に沿って第２右側面部を位置させ、第１左側面部の外側に第１左側面部に沿って第２左側面部を位置させ、第１正面部の外側に第２正面部を位置させるとともに、第１分離部から底面部を経て第２分離部まで至る接着テープを貼着し、本体部に収納された被収納物を陳列するには、第１分離部と第２右側面部本体部間の切目線を破断して第１分離部を第２右側面部本体部から分離し、第２分離部と第２左側面部本体部間の切目線を破断して第２分離部を第２左側面部本体部から分離し、分離手段により上面部と背面部とを分離することにより、蓋部と本体部とを分離することを特徴とする。
【００１８】
この第４の構成の包装箱においては、接着テープを剥がした跡は底面部の下面に残るのみであり、また、接着テープにおける底面部から露出した部分を除外した場合でも接着テープは底面部の下面に残るのみであるので、見栄えが悪くなることがなく、結果として、商品を包装した状態において用いた接着テープが商品の展示状態において見栄えを悪くすることがない。
【００１９】
また、本体部と蓋部とは上面部と背面部間の折れ線を介して連設されているので、係合孔に係合片を係合させて連結する場合と比べて、箱全体の強度を保つことができ、また、包装状態では、接着テープを分離部から底面部を経て分離部にかけて接着テープを貼着するので、包装状態において十分強度を保つことができ、重量のある商品を包装するのに支障がない。また、底面部は、１枚の平板状の部材により形成されているので、重量の重い商品を収納しても、底面部の底が抜けるおそれがない。
【００２０】
また、第１右側面部の一部や第１左側面部の一部が分離して除かれることがないので、商品の陳列状態における両側の側面部のデザインの自由度が制限されることがない。
【００２１】
また、第１右側面部と第１左側面部を展開した状態で本体部が扁平状となり、第５折れ線と第６折れ線により第２右側面部と第２左側面部を折り曲げた状態とすることにより蓋部が扁平状となるので、包装箱を折り畳んだ状態とすることができる。
【００２２】
また、第１接続部と第２接続部と第３接続部と第４接続部が設けられていて、第１右側面部と第１左側面部とを底面部に対して起立させることにより正面部や背面部も起立するので、本体部の組立てを容易とすることができる。
【００２３】
また、包装箱は２つのブランクにより形成されているので、第１ブランクの段ボール素材と第２ブランクの段ボール素材を異ならせて、第１ブランクを印刷紙を一方のライナーに使用した段ボールを使用し、第２ブランクの２つのライナーは印刷が施されていないものを用いることにより 、コストを抑えながら商品の陳列状態において印刷面を外部に表示させることができる。
【００２４】
また、第５には、シート状のブランクにより形成された包装箱であって、本体部（Ａ１）と蓋部（Ａ２）とを有し、本体部が、略方形状の底面部（１１０）と、底面部の正面側の辺部から折れ線を介して連設された第１正面部で、第１正面部における底面部側である基端側に設けられた正面部本体で底面部の正面側の辺部から折れ線を介して連設された正面部本体（１２２）と、第１正面部における正面部本体よりも先端側に設けられた折返し片部で先端側に第１突状部（１２６ａ、１２６ｂ）が形成された折返し片部（１２６）とを有する第１正面部（１２０）と、底面部の右側面側の辺部から折れ線を介して連設された第１右側面部で、第１右側面部における底面部側である基端側に設けられた外側右側面部で底面部の右側面側の辺部から折れ線を介して連設された外側右側面部（１３２）と、第１右側面部における外側右側面部よりも先端側に設けられた内側右側面部で先端側に第２突状部（１３７ａ）が形成された内側右側面部（１３６）とを有する第１右側面部（１３０）と、底面部の左側面側の辺部から折れ線を介して連設された第１左側面部で、第１左側面部における底面部側である基端側に設けられた外側左側面部で底面部の左側面側の辺部から折れ線を介して連設された外側左側面部（１４２）と、第１左側面部における外側左側面部よりも先端側に設けられた内側左側面部で先端側に第３突状部（１４７ａ）が形成された内側左側面部（１４６）とを有する第１左側面部（１４０）と、正面部本体の右側面側の辺部から折れ線を介して連設されるとともに外側右側面部の正面側の辺部から折れ線を介して連設された第１接続部で、底面部における正面側で右側面側の角部から正面部本体の右側面側の辺部及びに外側右側面部の正面側の辺部に対して４５度の角度に形成された第１折れ線（２０６ａ）を介して外側右側面部側の領域を有し、外側右側面部の内側の面に接着された第１接着部（２０４）と、第１折れ線を介して正面部本体側の領域を有する第１連結部（２０２）とを有する第１接続部（２００）と、正面部本体の左側面側の辺部から折れ線を介して連設されるとともに外側左側面部の正面側の辺部から折れ線を介して連設された第２接続部で、底面部における正面側で左側面側の角部から正面部本体の左側面側の辺部及びに外側左側面部の正面側の辺部に対して４５度の角度に形成された第２折れ線（２１６ａ）を介して外側左側面部側の領域を有し、外側左側面部の内側の面に接着された第２接着部（２１４）と、第２折れ線を介して正面部本体側の領域を有する第２連結部（２１２）とを有する第２接続部（２１０）と、底面部の背面側の辺部から折れ線を介して連設された略方形状の背面部（１５０）と、背面部の右側面側の辺部から折れ線を介して連設された第３接続部で、背面部における底面側で右側面側の角部から背面部の右側面側の辺部に対して４５度の角度に形成された第３折れ線（２２６ａ）を介して背面部側とは反対側の領域を有し、外側右側面部の内側の面に接着された第３接着部（２２４）と、第３折れ線を介して背面部側の領域を有する第３連結部（２２２）とを有する第３接続部（２２０）と、背面部の左側面側の辺部から折れ線を介して連設された第４接続部で、背面部における底面側で左側面側の角部から背面部の左側面側の辺部に対して４５度の角度に形成された第４折れ線（２３６ａ）を介して背面部側とは反対側の領域を有し、外側左側面部の内側の面に接着された第４接着部（２３４）と、第４折れ線を介して背面部側の領域を有する第４連結部（２３２）とを有する第４接続部（２３０）と、を有し、底面部の正面側の端部には第１突状部が嵌合するための第１嵌合部（１１０ｃ、１１０ｄ）が設けられ、底面部の右側面側の端部には第２突状部が嵌合するための第２嵌合部（１１０ａ）が設けられ、底面部の左側面側の端部には第３突状部が嵌合するための第３嵌合部（１１０ｂ）が設けられ、蓋部が、背面部の底面部とは反対側の辺部から折れ線を介して連設された略方形状の上面部（１６０）と、上面部の右側面側の辺部から折れ線を介して連設された第２右側面部で、上面部とは反対側の辺部に接する第１分離部で切目線を介して第１分離部以外の領域である第２右側面部本体部（１７２）と区画して形成された第１分離部（１７４）を有し、第２右側面部の上面部側で第２正面部側の角部から第２右側面部と上面部間の折れ線に対して４５度の角度で第５折れ線（１７０ｓ−１、１７０ｓ−２）が形成された第２右側面部（１７０）と、上面部の左側面側の辺部から折れ線を介して連設された第２左側面部で、上面部とは反対側の辺部に接する第２分離部で切目線を介して第２分離部以外の領域である第２左側面部本体部（１８２）と区画して形成された第２分離部（１８４）を有し、第２左側面部の上面部側で第２正面部側の角部から第２左側面部と上面部間の折れ線に対して４５度の角度で第６折れ線（１８０ｓ−１、１８０ｓ−２）が形成された第２左側面部（１８０）と、上面部の背面部とは反対側の辺部から折れ線を介して連設された第２正面部（１９０）と、第２右側面部と第２正面部の一方から連設され、第２右側面部と第２正面部の他方に接着された第２糊代部（１７８）と、第２左側面部と第２正面部の一方から連設され、第２左側面部と第２正面部の他方に接着された第３糊代部（１８８）とを有し、上面部と背面部間の境界位置又はその近傍に上面部と背面部とを分離するための分離手段（１６４）が設けられ、包装箱の折畳み状態では、本体部における第１右側面部と第１左側面部とが展開されるとともに、第２右側面部が第５折れ線を介して折曲され、第２左側面部が第６折れ線を介して折曲され、本体部を組み立てる際には、外側右側面部と外側左側面部とを底面部に対して起立させることにより正面部と背面部が底面部に対して起立し、第１突状部を第１嵌合部に嵌合することにより正面部本体と折返し片部とが平行になり、第２突状部を第２嵌合部に嵌合することにより外側右側面部と内側右側面部とが平行になり、第３突状部を第３嵌合部にすることにより外側左側面部と内側左側面部とが平行になり、包装箱を包装状態とするには、蓋部を本体部に被せることにより、第１右側面部の外側に第１右側面部に沿って第２右側面部を位置させ、第１左側面部の外側に第１左側面部に沿って第２左側面部を位置させ、第１正面部の外側に第２正面部を位置させるとともに、第１分離部から底面部を経て第２分離部まで至る接着テープを貼着し、本体部に収納された被収納物を陳列するには、第１分離部と第２右側面部本体部間の切目線を破断して第１分離部を第２右側面部本体部から分離し、第２分離部と第２左側面部本体部間の切目線を破断して第２分離部を第２左側面部本体部から分離し、分離手段により上面部と背面部とを分離することにより、蓋部と本体部とを分離することを特徴とする。
【００２５】
この第５の構成の包装箱においては、接着テープを剥がした跡は底面部の下面に残るのみであり、また、接着テープにおける底面部から露出した部分を除外した場合でも接着テープは底面部の下面に残るのみであるので、見栄えが悪くなることがなく、結果として、商品を包装した状態において用いた接着テープが商品の展示状態において見栄えを悪くすることがない。
【００２６】
また、本体部と蓋部とは上面部と背面部間の折れ線を介して連設されているので、係合孔に係合片を係合させて連結する場合と比べて、箱全体の強度を保つことができ、また、包装状態では、接着テープを分離部から底面部を経て分離部にかけて接着テープを貼着するので、包装状態において十分強度を保つことができ、重量のある商品を包装するのに支障がない。また、底面部は、１枚の平板状の部材により形成されているので、重量の重い商品を収納しても、底面部の底が抜けるおそれがない。
【００２７】
また、第１右側面部の一部や第１左側面部の一部が分離して除かれることがないので、商品の陳列状態における両側の側面部のデザインの自由度が制限されることがない。
【００２８】
また、第１右側面部と第１左側面部を展開した状態で本体部が扁平状となり、第５折れ線と第６折れ線により第２右側面部と第２左側面部を折り曲げた状態とすることにより蓋部が扁平状となるので、包装箱を折り畳んだ状態とすることができる。
【００２９】
また、第１接続部と第２接続部と第３接続部と第４接続部が設けられていて、第１右側面部と第１左側面部とを底面部に対して起立させることにより正面部や背面部も起立するので、本体部の組立てを容易とすることができる。
【００３０】
なお、上記第４及び第５の構成において、第１接続部の展開状態において、第１接着部と第１連結部間には、第１折れ線の端部から伸びた切込みが設けられ、第１折れ線と該切込みにより第１接着部と第１連結部とが区画され、第２接続部の展開状態において、第２接着部と第２連結部間には、第２折れ線の端部から伸びた切込みが設けられ、第２折れ線と該切込みにより第２接着部と第２連結部とが区画され、第３接続部の展開状態において、第３接着部と第３連結部間には、第３折れ線の端部から伸びた切込みが設けられ、第３折れ線と該切込みにより第３接着部と第３連結部とが区画され、第４接続部の展開状態において、第４接着部と第４連結部間には、第４折れ線の端部から伸びた切込みが設けられ、第４折れ線と該切込みにより第４接着部と第４連結部とが区画されていることを特徴とするものとしてもよい。
【００３１】
また、上記第４及び第５の構成において、第５折れ線が、第２右側面部の上面部側で第２正面部側の角部から形成された第５折れ線第１構成部と、第５折れ線第１構成部と間隔を介して第５折れ線第１構成部の延長線上に形成された第５折れ線第２構成部とを有し、第５折れ線第１構成部と第５折れ線第２構成部間に斜め下方に膨出した形状の切込みが形成され、第５折れ線を介して第２右側面部を外側の面において山折りした際に、該切込みにより形成された突状部が外側に突出し、第６折れ線が、第２左側面部の上面部側で第２正面部側の角部から形成された第６折れ線第１構成部と、第６折れ線第１構成部と間隔を介して第６折れ線第１構成部の延長線上に形成された第６折れ線第２構成部とを有し、第６折れ線第１構成部と第６折れ線第２構成部間に斜め下方に膨出した形状の切込みが形成され、第６折れ線を介して第２左側面部を外側の面において山折りした際に、該切込みにより形成された突状部が外側に突出することを特徴とするものとしてもよい。
【００３２】
また、第６には、上記第４又は第５の構成において、正面部本体と折返し片部とは、正面部本体の折返し片部側の辺部及び折返し片部の正面部本体側の辺部に沿って形成された帯状部（１２４）を介して連設され、外側右側面部と内側右側面部とは、外側右側面部の内側右側面部側の辺部及び内側右側面部の外側右側面部側の辺部に沿って形成された帯状部（１３４）を介して連設され、外側左側面部と内側左側面部とは、外側左側面部の内側左側面部側の辺部及び内側左側面部の外側左側面部側の辺部に沿って形成された帯状部（１４４）を介して連設されていることを特徴とする。
【００３３】
また、第７には、上記第１から第６までのいずれかの構成において、上記分離手段が、上面部の背面部側の端部に沿って形成されたジッパー部で、背面部と切目線を介して連設されるとともに上面部のジッパー部以外の領域である上面部本体と切目線を介して連設されたジッパー部であり、ジッパー部を包装箱から取り除くことにより上面部と背面部とが分離することを特徴とする。
【００３４】
また、第８には、上記第１から第６までのいずれかの構成において、上記分離手段が、背面部の上面部側の端部に沿って形成されたジッパー部で、上面部と切目線を介して連設されるとともに背面部のジッパー部以外の領域である背面部本体と切目線を介して連設されたジッパー部であり、ジッパー部を包装箱から取り除くことにより上面部と背面部とが分離することを特徴とする。
【００３５】
また、第９には、上記第１から第６までのいずれかの構成において、上記分離手段が、上面部と背面部間の折れ線に沿って内側に固定して設けられたテープ状部材であり、該テープ状部材を上面部と背面部間の折れ線に沿って引っ張ることにより上面部と背面部間の折れ線が破断されることを特徴とする。
【００３６】
また、第１０には、上記第１から第６までのいずれかの構成において、上記分離手段が、上面部と背面部間の折れ線に沿って形成されたミシン目状の切目線であることを特徴とする。
【考案の効果】
【００３７】
本考案に基づく包装箱によれば、接着テープを剥がした跡は底面部の下面に残るのみであり、また、接着テープにおける底面部から露出した部分を除外した場合でも接着テープは底面部の下面に残るのみであるので、見栄えが悪くなることがなく、結果として、商品を包装した状態において用いた接着テープが商品の展示状態において見栄えを悪くすることがない。
【００３８】
また、本体部と蓋部とは上面部と背面部間の折れ線を介して連設されているので、係合孔に係合片を係合させて連結する場合と比べて、箱全体の強度を保つことができ、また、包装状態では、接着テープを分離部から底面部を経て分離部にかけて接着テープを貼着するので、包装状態において十分強度を保つことができ、重量のある商品を包装するのに支障がない。
【図面の簡単な説明】
【００３９】
【図１】包装箱の蓋部を開けた状態の斜視図である（実施例１）。
【図２】包装箱の展開図である（実施例１）。
【図３】包装箱を折り畳んだ状態の平面図である（実施例１）。
【図４】包装箱の使用状態を示す斜視図である（実施例１）。
【図５】包装箱の使用状態を示す斜視図であり、蓋部を閉じた状態の斜視図である（実施例１）。
【図６】包装箱の使用状態を示す斜視図である（実施例１）。
【図７】包装箱の使用状態を示す斜視図である（実施例１）。
【図８】包装箱の使用状態を示す斜視図である（実施例１）。
【図９】包装箱の使用状態を示す斜視図である（実施例１）。
【図１０】包装箱の使用状態を示す斜視図である（実施例１）。
【図１１】包装箱の使用状態を示す斜視図である（実施例１）。
【図１２】包装箱の使用状態を示す斜視図である（実施例１）。
【図１３】包装箱の蓋部を開けた状態の斜視図である（実施例２）。
【図１４】第１構成部の展開図である（実施例２）。
【図１５】第２構成部の展開図である（実施例２）。
【図１６】第１構成部において接着部を接着した状態を示す平面図である（実施例２）。
【図１７】包装箱を折り畳んだ状態の底面図である（実施例２）。
【図１８】包装箱を折り畳んだ状態の平面図である（実施例２）。
【図１９】本体部を組み立てる途中の状態を示す斜視図である（実施例２）。
【図２０】本体部を組み立てた状態を示す斜視図である（実施例２）。
【図２１】包装箱の使用状態を示す斜視図であり、蓋部を閉じた状態の斜視図である（実施例２）。
【図２２】包装箱の使用状態を示す斜視図である（実施例２）。
【図２３】包装箱の使用状態を示す斜視図である（実施例２）。
【図２４】包装箱の使用状態を示す斜視図である（実施例２）。
【図２５】包装箱の使用状態を示す斜視図である（実施例２）。
【図２６】包装箱の使用状態を示す斜視図である（実施例２）。
【図２７】包装箱の使用状態を示す斜視図である（実施例２）。
【図２８】包装箱の使用状態を示す斜視図である（実施例２）。
【考案を実施するための形態】
【００４０】
本考案においては、複数の商品を集合して包装するとともに、包装箱の一部を分離させて商品を店頭等に陳列する包装箱において、商品を包装した状態において用いた接着テープが商品の陳列状態（展示状態としてもよい）において見栄えを悪くすることがないとともに、重量のある商品を包装するのに支障がなく、かつ、商品の陳列状態における両側の側面部のデザインの自由度が制限されない包装箱を提供するという目的を以下のようにして実現した。
【実施例１】
【００４１】
本考案に基づく実施例１の包装箱Ａは、本体部Ａ１と、本体部Ａ１の背面部５０から連設された蓋部Ａ２とを有している。この包装箱Ａは、１枚のシート状のブランク（具体的には段ボール（特に、両面段ボール）であり、厚紙等でもよい）により形成されている。なお、両面段ボールにおける中芯の段の方向は、図２に示す円内に示す方向である。
【００４２】
本体部Ａ１は、正面側と上面側が開口したトレー状を呈し、底面部１０と、底面部１０の正面側の辺部から連設された正面部２０と、底面部１０の右側面側の辺部から連設された右側面部３０と、底面部１０の左側面側の辺部から連設された左側面部４０と、底面部１０の背面側の辺部から連設された背面部５０とを有している。
【００４３】
底面部１０は、略方形状（前後方向に縦長の略長方形状）を呈し、その正面側の端部には、折返し片部２６の突状部２６ａを差し込むための開口部（嵌合部）１０ａが形成されている。つまり、底面部１０と正面部本体２２からなる領域において横長の開口部１０ａが形成され、底面部１０自体としては、方形状に開口部１０ａを形成するための切欠部が形成された形状といえる。
【００４４】
また、正面部（第１正面部）２０は、底面部１０の正面側の辺部から折れ線を介して連設された正面部本体２２と、正面部本体２２の底面部１０とは反対側の辺部から折れ線を介して連設された帯状部２４と、帯状部２４の正面部本体２２とは反対側の辺部から折れ線を介して連設された折返し片部２６とを有している。正面部本体２２は横長の長方形状を呈し、帯状部２４は、折返し片部２６の側にいくほど左右方向の長さが短くなる台形形状を呈している。この帯状部２４は、正面部本体２２と折返し片部２６間にフラップ３２、４２を挿入することができる幅を有している。また、折返し片部２６は、横長の長方形状の先端に台形形状の突状部２６ａを有した形状を呈している。
【００４５】
本体部Ａ１の組立て状態においては、フラップ３２、４２を正面部本体２２と折返し片部２６間に挟んだ状態で、突状部２６ａが開口部１０ａに差し込まれている。
【００４６】
本体部Ａ１の組立て状態において、正面部２０の高さ方向の長さは、背面部５０の高さ方向の長さよりも短く形成され、これにより、正面側を低側壁化することにより収納された商品を露出しやすくしている。
【００４７】
また、右側面部（第１右側面部）３０は、底面部１０の右側面側の辺部から折れ線を介して連設され、方形状の正面及び上側の角部を斜めに欠切した形状を有している。すなわち、右側面部３０は、正面側の辺部３０ａと、辺部３０ａから連設された底面側の辺部３０ｂと、辺部３０ｂから連設された背面側の辺部３０ｃと、辺部３０ｃから連設された上面側の辺部３０ｄと、正面側の辺部３０ａと上面側の辺部３０ｄ間に設けられ、辺部３０ａ〜辺部３０ｄの方向に対して傾斜した辺部３０ｅとを有している。辺部３０ａと辺部３０ｃは互いに平行であり、辺部３０ｂと辺部３０ｄは互いに平行である。また、右側面部３０には、辺部３０ｂと辺部３０ｃ間の角部（底面部１０側で背面部５０側の角部）から折れ線（第１折れ線）３０ｓが形成されている。この折れ線３０ｓと辺部３０ｂ間の角度α１は４５度（約４５度としてもよい）となっている。
【００４８】
また、右側面部３０の正面側の辺部からは折れ線を介してフラップ３２が連設されている。このフラップ３２は、略Ｌ字状（方形状における先端下側を横長に欠切した形状）を呈している。
【００４９】
また、右側面部３０の背面側の辺部３０ｃからは折れ線を介して糊代部（第１糊代部）３４が連設されている。この糊代部３４は、略台形形状を呈している。糊代部３４は、背面部５０の内側の面に接着されている。
【００５０】
また、左側面部（第１左側面部）４０は、底面部１０の左側面側の辺部から折れ線を介して連設され、方形状の正面及び上側の角部を斜めに欠切した形状を有している。左側面部４０は、右側面部３０と対称（本体部Ａ１の展開状態では、線対称）に形成されているので、詳しい説明を省略する。左側面部４０は、辺部４０ａと辺部４０ｂと辺部４０ｃと辺部４０ｄと辺部４０ｅとを有している。なお、左側面部４０には、辺部４０ｂと辺部４０ｃ間の角部（底面部１０側で背面５０側の角部）から折れ線（第２折れ線）４０ｓが形成されている。この折れ線４０ｓと辺部４０ｂ間の角度α２は４５度（約４５度としてもよい）となっている。
【００５１】
また、左側面部４０の背面側の辺部４０ｃからは折れ線を介して糊代部（第２糊代部）４４が連設されている。この糊代部４４は、略台形形状を呈している。糊代部４４は、背面部５０の内側の面に接着されている。
【００５２】
また、左側面部４０の正面側の辺部からは折れ線を介してフラップ４２が連設されている。このフラップ４２は、方形状における先端下側を横長に欠切した形状を呈し、フラップ３２と対称（本体部Ａ１の展開状態では、線対称）に形成されている。
【００５３】
また、背面部５０は、底面部１０の背面側の辺部から折れ線を介して連設され、方形状を呈している。背面部５０の高さ方向の長さは、右側面部３０の背面側の端部における高さ方向の長さや左側面部４０の背面側の端部における高さ方向の長さと同一（略同一としてもよい）となっている。
【００５４】
本体部Ａ１を組み立てた状態においては、正面部２０（特に、正面部本体２２と折返し片部２６）と右側面部３０と左側面部４０と背面部５０は、底面部１０に対して直角（略直角としてもよい）となり（つまり、正面部２０と右側面部３０と左側面部４０と背面部５０とは、底面部１０に対して起立した状態となっている）、右側面部３０と左側面部４０とは互いに平行であり、背面部５０は、右側面部３０や左側面部４０と直角となる。
【００５５】
次に、蓋部Ａ２は、背面部５０の上端の辺部から連設された上面部６０と、上面部６０の右側面側の辺部から連設された右側面部７０と、右側面部７０の正面側の辺部から連設された糊代部７８と、上面部６０の左側面側の辺部から連設された左側面部８０と、左側面部８０の正面側の辺部から連設された糊代部８８と、上面部６０の正面側の辺部から連設された正面部９０とを有している。
【００５６】
ここで、上面部６０は、背面部５０の上端の辺部から折れ線５５を介して連設され、略方形状を呈し、上面部６０は、上面部本体６２と、ジッパー部６４とを有している。上面部本体６２は、上面部６０におけるジッパー部６４以外の領域である。
【００５７】
ジッパー部６４は、上面部本体６２と背面部５０間に設けられていて、背面部５０との間の切目線６０ａ（折れ線５５に沿って形成された切目線）と、上面部本体６２との間の切目線６０ｂと、左側面部８０との間の切目線６０ｃと、右側面部７０との間の切目線６０ｄとに囲まれた形状を呈している。切目線６０ａ、６０ｂは、ミシン目状の切目線を有する切目線であり、切目線６０ｃ、６０ｄは切込み（直線状の切込み）により形成されている。該切込みは、ブランクの一方の面から他方の面に貫通して形成されている。切目線６０ａは、直線状のミシン目状の切目線と、該切目線の両側に該切目線の延長線上に形成された切込みとを有するが、切目線６０ｂは、直線状の切目線と、該直線状のミシン目状の切目線の両側に連設された傾斜状の切込みとを有していて、該傾斜状の切込みは、端部側にいくほど正面側となるように傾斜した形状となっている。つまり、切目線６０ｂの両側には傾斜した切込みが形成され、該傾斜した切込みと直線状のミシン目状の切目線の境界位置で折れ線５５に対して直角の折れ線６４−１、６４−２が形成されている。また、折れ線６４−１、６４−２は、切目線６０ａにおけるミシン目状の切目線とその両側の切込みの境界位置に形成されている。以上のようにして、ジッパー部６４は、上面部６０の背面部５０側の端部に設けられている。
【００５８】
ジッパー部６４は、長手方向の一方の端部をつかみ他方の端部側に引っ張ることにより、切目線６０ａ、６０ｂが破断して、背面部５０及び上面部本体６２から分離できるようになっている。このジッパー部６４は、上面部と背面部間の境界位置又はその近傍に設けられた上面部６０と背面部５０とを分離するための分離手段であり、特に、上面部６０と背面部５０間の境界位置の近傍に設けられた上面部と背面部とを分離するための分離手段といえる。
【００５９】
また、右側面部（第２右側面部）７０は、上面部６０の右側面側の辺部から折れ線を介して連設され、方形状を呈し、前後方向には右側面部３０の前後方向の長さと略同一に（厳密には、若干長く）形成され、蓋部Ａ２を本体部Ａ１に対して閉状態にした際に、正面部９０が正面部２０の正面側となるように構成されている。また、右側面部７０の高さ方向の長さは、右側面部３０の高さ方向の長さと略同一となっている。右側面部７０は、上面側の辺部７０ａと、辺部７０ａから連設された辺部７０ｂと、辺部７０ｂから連設された辺部７０ｃと、辺部７０ｃから連設された辺部７０ｄとを有している。辺部７０ａと辺部７０ｃとは互いに平行に形成され、辺部７０ｂと辺部７０ｄとは互いに平行に形成されている。
【００６０】
右側面部７０においては、切目線７５を介して本体部（第２右側面部本体部）７２と分離部（第１分離部）７４とに分離可能に形成されている。すなわち、切目線７５は、略半円状の開口部７５ａと、開口部７５ａから正面斜め下方に形成され、その後、下方に向けて形成された切目線７５ｂと、開口部７５ａから背面斜め下方に形成され、その後、下方に向けて形成された切目線７５ｃとを有している。ここで、切目線７５ｂは、開口部７５ａから正面斜め下方に形成された切込みと、該切込みから下方に形成されたミシン目とから形成されている。また、切目線７５ｃは、切目線７５ｂと線対称に形成され、開口部７５ａから背面斜め下方に形成された切込みと、該切込みから下方に形成されたミシン目とから形成されている。この切目線７５は、全体に略逆Ｕ字状を呈している。この切目線７５を破断する際には、開口部７５ａに指を入れて分離部７４を下方に引っ張ることにより切目線７５ｂ、７５ｃが破断することになる。
【００６１】
また、右側面部７０には、辺部７０ａと辺部７０ｂ間の角部（上面部６０側で正面部９０側の角部）から折れ線（第３折れ線）７０ｓが形成されている。この折れ線７０ｓと辺部７０ａ間の角度α３は４５度（約４５度としてもよい）となっている。
【００６２】
また、右側面部７０の正面側の辺部７０ｂからは折れ線を介して糊代部（第３糊代部）７８が連設されている。この糊代部７８は、略台形形状を呈している。糊代部７８は、正面部９０の内側の面に接着されている。
【００６３】
また、左側面部（第２左側面部）８０は、上面部６０の左側面側の辺部から折れ線を介して連設され、方形状の正面及び上側の角部を斜めに欠切した形状を有している。左側面部８０は、右側面部７０と対称（本体部Ａ１の展開状態では、線対称）に形成されているので、詳しい説明を省略する。左側面部８０は、辺部８０ａと辺部８０ｂと辺部８０ｃと辺部８０ｄとを有している。
【００６４】
なお、左側面部８０においては、切目線８５を介して本体部（第２左側面部本体部）８２と分離部（第２分離部）８４とに分離可能に形成されている。すなわち、切目線８５は、略半円状の開口部８５ａと、開口部８５ａから正面斜め下方に形成され、その後、下方に向けて形成された切目線８５ｂと、開口部８５ａから背面斜め下方に形成され、その後、下方に向けて形成された切目線８５ｃとを有している。
【００６５】
また、左側面部８０には、辺部８０ａと辺部８０ｂ間の角部（上面部６０側で正面部９０側の角部）から折れ線（第４折れ線）８０ｓが形成されている。この折れ線８０ｓと辺部８０ａ間の角度α４は４５度（約４５度としてもよい）となっている。
【００６６】
また、左側面部８０の正面側の辺部８０ｂからは折れ線を介して糊代部（第４糊代部）８８が連設されている。この糊代部８８は、略台形形状を呈している。糊代部８８は、正面部９０の内側の面に接着されている。
【００６７】
また、正面部９０は、上面部６０の正面側の辺部（背面部５０とは反対側の辺部）から折れ線を介して形成されている。この正面部９０は方形状を呈し、高さ方向には、背面部５０の高さ方向の長さと略同一に形成され、左右方向には、蓋部Ａ２を本体部Ａ１に対して閉状態にした際に右側面部７０が右側面部３０の外側にあるとともに左側面部８０が左側面部４０の外側にあるように、底面部１０の左右方向の長さよりも長く形成されている。
【００６８】
蓋部Ａ２を組み立てた状態においては、右側面部７０と左側面部８０と正面部９０は、上面部６０に対して直角（略直角としてもよい）となる。
【００６９】
上記構成の包装箱Ａの使用状態について説明する。包装箱Ａにおいては、右側面部３０を折れ線３０ｓを介して折曲し、左側面部４０を折れ線４０ｓを介して折曲することにより、本体部Ａ１を折り畳むことができ、右側面部７０を折れ線７０ｓを介して折曲し、左側面部８０を折れ線８０ｓを介して折曲することにより、蓋部Ａ２を折り畳むことができるので、包装箱Ａを図３に示すように扁平状に折り畳んだ状態とすることができる。これにより、包装箱Ａの保管や運搬に際して省スペースを図ることができる。
【００７０】
図３に示すように包装箱Ａを折り畳んだ状態から本体部Ａ１を組み立てることにより、図４に示す状態となる。すなわち、右側面部３０と左側面部４０を平板状にする（つまり、折曲状態の右側面部３０と左側面部４０を平板状にする）とともに、フラップ３２を右側面部３０に対して折り曲げ、フラップ４２を左側面部４０に対して折り曲げた状態で、正面部本体２２を底面部１０に対して折り曲げ、帯状部２４を正面部本体２２に対して折り曲げ、折返し片部２６を帯状部２４に対して折り曲げて、正面部本体２２と折返し片部２６間に挟んだ状態で、突状部２６ａが開口部１０ａに差し込むことにより、本体部Ａ１が組立て状態となる。
【００７１】
図４に示す状態から右側面部７０と左側面部８０を平板状にする（つまり、折曲状態の右側面部７０と左側面部８０を平板状にする）ことにより、図１に示す状態となる。
【００７２】
その後、本体部Ａ１内に商品（被収納物）を収納し、その後、蓋部Ａ２を本体部Ａ１に対して閉状態とする。つまり、正面部９０や糊代部７８、８８が正面部２０の外側（つまり、正面側）にあり、右側面部７０が右側面部３０に沿って右側面部３０の外側（右側面側）にあり、左側面部８０が左側面部４０に沿って左側面部４０の外側（左側面側）にあるようにする。これにより、包装箱Ａは、図５に示す状態となる。
【００７３】
その後、包装箱Ａを上下逆の状態とし、図６に示すように、分離部７４から底面部１０を経て分離部８４にまで接着テープＴを貼着する。その後、包装箱Ａを上下逆にして上下方向の向きをもとに戻して、図７に示す状態とする。なお、包装箱Ａの正面側と背面側の一方を持ち上げて、底部を設置面に対して斜めの状態として、接着テープＴを貼着してもよい。これにより、蓋部Ａ２が本体部Ａ１に固定された状態となる。この状態で、商品の陳列場所にまで運ぶ。
【００７４】
包装箱Ａを商品の陳列場所にまで運んだ後に商品を陳列するには、蓋部Ａ２を本体部Ａ１から取り外す。すなわち、開口部７５ａに指を入れて分離部７４を下方に引っ張ることにより切目線７５ｂ、７５ｃが破断することにより分離部７４を本体部７２に対して分離し、開口部８５ａに指を入れて分離部８４を下方に引っ張ることにより切目線８５ｂ、８５ｃが破断することにより分離部８４を本体部８２に対して分離することにより図８に示す状態とする。
【００７５】
その後、図９に示すように、ジッパー部６４の長手方向の一方の端部を上方に引っ張り、ジッパー部６４を上面部本体６２及び背面部５０から分離して図１０に示す状態とする。つまり、ジッパー部６４を包装箱Ａから取り除く。これにより、蓋部Ａ２は本体部Ａ１と分離するので、蓋部Ａ２を取り外すことにより図１１に示す状態となる。なお、図１１の状態においては、本体部Ａ１の内部に収納された商品が表れる。
【００７６】
その後、接着テープＴを底面部１０から剥がして、分離部７４、８４及び接着テープＴを取り外すことにより、図１２に示す状態となるので、この図１２に示す状態で商品を陳列する。なお、接着テープＴを底面部１０から剥がす際には底面部１０の一方の端部を持ち上げて底面部１０を傾斜させることになるが、本体部Ａ１に商品が収納されているので、商品の重量が大きく底面部１０の一方の端部を持ち上げるのが困難な場合には、接着テープＴを底面部１０の端部位置で切断することにより、接着テープＴの一部は底面部１０の下面に残っているが、分離部７４、８４と接着テープＴにおける底面部１０から露出した部分を除外して見栄えに支障のないようにすることができる。
【００７７】
以上のように、本実施例の包装箱においては、接着テープＴを剥がした跡は底面部１０の下面に残るのみであり、また、接着テープＴにおける底面部１０から露出した部分を除外した場合でも接着テープは底面部の下面に残るのみであるので、見栄えが悪くなることがなく、結果として、商品を包装した状態において用いた接着テープが商品の展示状態において見栄えを悪くすることがない。
【００７８】
また、本体部Ａ１と蓋部Ａ２とは上面部６０と背面部５０間の折れ線を介して連設され、また、ジッパー部６４は、切目線を介して背面部５０及び上面部本体６２と連設されているので、特許文献２の紙箱のように係合孔に係合片を係合させて連結する場合と比べて、箱全体の強度を保つことができ、また、図６、図７のように接着テープＴを貼着した状態では、分離部７４から底面部１０を経て分離部８４にかけて接着テープＴを貼着するので、包装状態において十分強度を保つことができる。よって、重量のある商品を包装するのに支障がない。また、底面部１０は、１枚の平板状の部材により形成されているので、重量の重い商品を収納しても、底面部１０の底が抜けるおそれがない。
【００７９】
また、本実施例の包装箱Ａでは、特許文献３の場合と異なり、右側面部３０の一部や左側面部４０の一部が分離して除かれることがないので、商品の陳列状態における両側の側面部のデザインの自由度が制限されることがない。
【００８０】
また、蓋部Ａ２を本体部Ａ１から分離する際には、ジッパー部６４を引っ張るのみでよいので操作が容易である。
【００８１】
なお、上記の説明において、上面部６０の背面部５０側の端部にジッパー部６４を設けることにより、ジッパー部６４を引き剥がすことにより蓋部Ａ２を本体部Ａ１から分離するものとして説明したが、ジッパー部を背面部５０における上面部６０側の端部に設けるようにしてもよい。つまり、その場合には、背面部５０は、上面部６０から切目線を介して連設されたジッパー部と、該ジッパー部から切目線を介して連設された背面部本体とから構成されることになる。
【００８２】
また、ジッパー部を形成する代わりに、分離手段として、背面部５０と上面部６０間の折れ線に沿って内側にカットテープ（テープ状部材（例えば、ポリプロピレン等の合成樹脂製のテープ状部材））を貼り付け、カットテープの少なくとも一方の端部を外部に露出するようにして、該カットテープを背面部５０と上面部６０間の折れ線に沿って引っ張ることにより、背面部５０と上面部６０間の折れ線を破断することにより、蓋部Ａ２を本体部Ａ１から分離するようにしてもよい。この場合、カットテープが、上面部６０と背面部５０間の境界位置に設けられた上面部と背面部とを分離するための分離手段であるといえる。なお、背面部５０と上面部６０間の折れ線には、カットテープによる破断が容易となるように切目線（例えば、ミシン目状の切目線）を設けるようにするのが好ましい。この場合でも、背面部５０と上面部６０間の折れ線に沿って切目線が形成され、その内側にカットテープが貼着される構成であるので、特許文献２の紙箱のように係合孔に係合片を係合させる構成と比べて、強度が弱いという問題が生じることがない。また、蓋部Ａ２を本体部Ａ１から分離する際には、カットテープを引っ張るのみでよいので操作が容易である。
【００８３】
また、ジッパー部を形成する代わりに、分離手段として、上面部６０と背面部５０間の折れ線に沿ってミシン目状の切目線を形成し、該切目線を破断することにより蓋部Ａ２を本体部Ａ１から分離するようにしてもよい。この場合、該ミシン目状の切目線が、上面部６０と背面部５０間の境界位置に設けられた上面部６０と背面部５０とを分離するための分離手段であるといえる。つまり、分離手段は、ミシン目状の切込み（ブランクの一方の面から他方の面まで貫通した切込み）により形成されている。この場合でも、背面部５０と上面部６０間の折れ線に沿って切目線が形成された構成であるので、特許文献２の紙箱のように係合孔に係合片を係合させる構成と比べて、強度が弱いという問題が生じることがない。
【００８４】
また、糊代部３４は右側面部３０から連設されているが、糊代部を背面部５０の右側面側の辺部から連設し、該糊代部を右側面部３０の内側に接着してもよい。また、糊代部４４は左側面部４０から連設されているが、糊代部を背面部５０の左側面側の辺部から連設し、該糊代部を左側面部４０の内側に接着してもよい。また、糊代部７８は右側面部７０から連設されているが、糊代部を正面部９０の右側面側の辺部から連設し、該糊代部を右側面部７０の内側に接着してもよい。また、糊代部８８は左側面部８０から連設されているが、糊代部を正面部９０の左側面側の辺部から連設し、該糊代部を左側面部８０の内側に接着してもよい。
【実施例２】
【００８５】
次に、本考案に基づく実施例２の包装箱Ｂは、図１３〜図１９等に示すように構成され、本体部Ｂ１と、本体部Ｂ１の背面部１５０から連設された蓋部Ｂ２とを有している。この包装箱Ｂは、図１４に示すシート状のブランクにより構成される第１構成部（第１ブランク）Ｂ−１と、図１５に示すシート状のブランクにより構成される第２構成部（第２ブランク）Ｂ−２とから構成され、第１構成部Ｂ−１と第２構成部Ｂ−２における背面部１５０と背面部１５０の両側に連設された接続部２１０、２２０とで本体部Ｂ１が構成され、第２構成部Ｂ−２における背面部１５０と接続部２１０、２２０を除く部分（すなわち、第２構成部Ｂ−２における上面部１６０と右側面部１７０と糊代部１７８と左側面部１８０と糊代部１８８と正面部１９０）により蓋部Ｂ２が構成される。なお、両面段ボールにおける中芯の段の方向は、図１４、図１５に示す円内に示す方向である。
【００８６】
第１構成部Ｂ−１は、正面側と上面側が開口した容器状を呈し、底面部１１０と、底面部１１０の正面側の辺部から連設された正面部１２０と、底面部１１０の右側面側の辺部から連設された右側面部１３０と、底面部１１０の左側面側の辺部から連設された左側面部１４０と、底面部１１０の背面側の辺部から連設された糊代部１４９と、正面部１２０と右側面部１３０間に形成された接続部２００と、正面部１２０と左側面部１４０間に形成された接続部２１０とを有している。正面部１２０と右側面部１３０と左側面部１４０とは二重壁に形成されている。
【００８７】
底面部１１０は、略方形状（前後方向に縦長の略長方形状）を呈し、その正面側の端部には、折返し片部１２６の突状部１２６ａ、１２６ｂを差し込むための開口部（嵌合部）１１０ｃ、１１０ｄが形成されている。つまり、底面部１０と正面部本体２２からなる領域において横長の開口部（第１嵌合部）１１０ｃ、１１０ｄが形成され、底面部１１０自体としては、方形状に開口部１１０ｃ、１１０ｄを形成するための切欠部が形成された形状といえる。
【００８８】
また、底面部１１０の右側面側の端部には、突状部１３７ａを差し込むための開口部（第２嵌合部）１１０ａが形成されている。つまり、底面部１１０と外側右側面部１３２からなる領域において縦長の開口部１１０ａが形成され、底面部１１０自体としては、方形状に開口部１１０ａを形成するための切欠部が形成された形状といえる。
【００８９】
また、底面部１１０の左側面側の端部には、突状部１４７ａを差し込むための開口部（第３嵌合部）１１０ｂが形成されている。つまり、底面部１１０と外側左側面部１４２からなる領域において縦長の開口部１１０ｂが形成され、底面部１１０自体としては、方形状に開口部１１０ｂを形成するための切欠部が形成された形状といえる。
【００９０】
また、正面部（第１正面部）１２０は、底面部１１０の正面側の辺部から折れ線を介して連設された正面部本体１２２と、正面部本体１２２の底面部１０とは反対側の辺部から折れ線を介して連設された帯状部１２４と、帯状部１２４の正面部本体１２２とは反対側の辺部から折れ線を介して連設された折返し片部１２６とを有している。正面部本体１２２は横長の長方形状を呈し、帯状部１２４は、折返し片部１２６の側にいくほど左右方向の長さが短くなる台形形状を呈している。また、折返し片部１２６は、横長の長方形状の先端に横長長方形状の突状部（第１突状部）１２６ａ、１２６ｂを有した形状を呈している。
【００９１】
本体部Ｂ１を組み立てた状態（例えば、図１３に示した状態）においては、突状部１２６ａは開口部１１０ｃに嵌合し、突状部１２６ｂは開口部１１０ｄに嵌合し、正面部本体１２２と折返し片部１２６とは互いに平行となっている。
【００９２】
本体部Ｂ１の組立て状態において、正面部１２０の高さ方向の長さは、背面部１５０の高さ方向の長さよりも短く形成され、これにより、正面側を低側壁化することにより収納された商品を露出しやすくしている。
【００９３】
また、右側面部（第１右側面部）１３０は、底面部１１０の右側面側の辺部から折れ線を介して連設され、右側面部１３０の組立て状態においては、二重壁で、方形状の正面及び上側の角部を斜めに欠切した形状を有している。
【００９４】
すなわち、右側面部１３０は、底面部１１０から連設された外側右側面部１３２と、外側右側面部１３２の底面部１１０とは反対側の辺部から連設された帯状部１３４と、帯状部１３４の外側右側面部１３２の反対側の辺部から連設された内側右側面部１３６とを有している。
【００９５】
ここで、外側右側面部１３２は、台形形状を呈し、辺部１３２ａと辺部１３２ｂと辺部１３２ｃと辺部１３２ｄにより囲まれた形状を呈し、辺部１３２ａ〜１３２ｄは直線状を呈し、辺部１３２ａと辺部１３２ｃとは、辺部１３２ｂ（辺部１３２ｂは、外側右側面部１３２と底面部１１０間の折れ線と一致する）に対して直角をなし、辺部１３２ｄは、辺部１３２ｂに対して、正面側が背面側よりも下方となるように傾斜している。外側右側面部１３２は、右側面部１３０における底面部１１０側である基端側に設けられている。
【００９６】
また、帯状部１３４は、帯状を呈し、その幅は、外側右側面部１３２と内側右側面部１３６間に折り返した状態の接続部２００と折り返した状態の接続部２１０が配置できる長さに形成されている。
【００９７】
また、内側右側面部１３６は、略台形形状を呈し、辺部１３６ａと辺部１３６ｂと辺部１３６ｃと辺部１３６ｄとを有し、辺部１３６ａと辺部１３６ｂ間の角部は斜めに面取りされ、辺部１３６ｂと辺部１３６ｃ間の角部は斜めに面取りされ、辺部１３６ｂには外側に突出する突状部（第２突状部）１３７ａが形成されている。本体部Ｂ１を組み立てた状態においては、突状部１３７ａは開口部１１０ａに嵌合する。辺部１３６ａと辺部１３６ｄは互いに平行で、辺部１３６ｂは、辺部１３６ａ及び辺部１３６ｃと直角をなしている。内側右側面部１３６は、右側面部１３０における外側右側面部１３２よりも先端側に設けられている。
【００９８】
また、辺部１３２ｂと辺部１３２ｄとがなす角度α１１と辺部１３６ｂと辺部１３６ｄとがなす角度α１２とは同一に形成されている。また、辺部１３６ａと辺部１３６ｄ間の角度は、辺部１３２ａと辺部１３２ｄ間の角度α１６と同一であり、辺部１３６ｃと辺部１３６ｄ間の角度は、辺部１３２ｃと辺部１３２ｄ間の角度α２４と同一である。また、辺部１３６ａと辺部１３６ｄ間の角部から右側面部１３０の展開状態において辺部１３２ａと平行に折れ線１３７ｂが形成され、内側右側面部１３６を外側右側面部１３２の内側に配置する際に、該折れ線１３７ｂよりも正面側（先端側）の領域である先端部１３６−２が正面部１２０に接触しても、先端部１３６−２が折れ線１３７ｂの基端側である本体部１３６−１に対して折れ曲がるので、内側右側面部１３６の先端部１３６−２が支障となることがない。
【００９９】
また、左側面部（第１左側面部）１４０は、底面部１１０の左側面側の辺部から折れ線を介して連設され、左側面部１４０の組立て状態においては、二重壁で、方形状の正面及び上側の角部を斜めに欠切した形状を有している。左側面部１４０は、第１構成部Ｂ−１の展開状態において、右側面部１３０と左右対称に形成されている。
【０１００】
すなわち、左側面部１４０は、底面部１１０から連設された外側左側面部１４２と、外側左側面部１４２の底面部１１０とは反対側の辺部から連設された帯状部１４４と、帯状部１４４の外側左側面部１４２の反対側の辺部から連設された内側左側面部１４６とを有している。
【０１０１】
ここで、外側左側面部１４２は、台形形状を呈し、外側右側面部１３２と左右対称に形成されている。すなわち、外側左側面部１４２は、辺部１４２ａと辺部１４２ｂと辺部１４２ｃと辺部１４２ｄにより囲まれた形状を呈し、辺部１４２ａ〜１４２ｄは直線状を呈し、辺部１４２ａと辺部１４２ｃとは、辺部１４２ｂ（辺部１４２ｂは、外側左側面部１４２と底面部１１０間の折れ線と一致する）に対して直角をなし、辺部１４２ｄは、辺部１４２ｂに対して、正面側が背面側よりも下方となるように傾斜している。外側左側面部１４２は、左側面部１４０における底面部１１０側である基端側に設けられている。
【０１０２】
また、帯状部１４４は、帯状を呈し、その幅は、外側左側面部１４２と内側左側面部１４６間に折り返した状態の接続部２００と折り返した状態の接続部２２０が配置できる長さに形成されている。
【０１０３】
また、内側左側面部１４６は、略台形形状を呈し、内側右側面部１３６と左右対称に形成されている。すなわち、内側左側面部１４６は、辺部１４６ａと辺部１４６ｂと辺部１４６ｃと辺部１４６ｄとを有し、辺部１４６ａと辺部１４６ｂ間の角部は斜めに面取りされ、辺部１４６ｂと辺部１４６ｃ間の角部は斜めに面取りされ、辺部１４６ｂには外側に突出する突状部（第３突状部）１４７ａが形成されている。本体部Ｂ１を組み立てた状態においては、突状部１４７ａは開口部１１０ａに嵌合する。辺部１４６ａと辺部１４６ｄは互いに平行で、辺部１４６ｂは、辺部１４６ａ及び辺部１４６ｃと直角をなしている。内側左側面部１４６は、左側面部１４０における外側左側面部１４２よりも先端側に設けられている。
【０１０４】
また、辺部１４２ｂと辺部１４２ｄとがなす角度α１３と辺部１４６ｂと辺部１４６ｄとがなす角度α１４とは同一に形成されている。また、辺部１４６ａと辺部１４６ｄ間の角度は、辺部１４２ａと辺部１４２ｄ間の角度α１８と同一であり、辺部１４６ｃと辺部１４６ｄ間の角度は、辺部１４２ｃと辺部１４２ｄ間の角度α２６と同一である。また、辺部１４６ａと辺部１４６ｄ間の角部から左側面部１４０の展開状態において辺部１４２ａと平行に折れ線１４７ｂが形成され、内側左側面部１４６を外側左側面部１４２の内側に配置する際に、該折れ線１４７ｂよりも正面側（先端側）の領域である先端部１４６−２が正面部１２０に接触しても、先端部１４６−２が折れ線１４７ｂの基端側である本体部１４６−１に対して折れ曲がるので、内側左側面部１４６の先端部１４６−２が支障となることがない。
【０１０５】
また、糊代部（第１糊代部）１４９は、底面部１１０の背面側の辺部から折れ線を介して連設され、台形形状を呈している。この糊代部１４９は、第２構成部Ｂ−２における背面部１５０に接着されている。なお、糊代部１４９と底面部１１０間の折れ線と背面部１５０の下辺とが一致（略一致でもよい）した状態で、糊代部１４９と背面部１５０とが接着されている。なお、糊代部１４９は、底面部１１０から連設されているとしたが、背面部１５０の底面側の辺部から折れ線を介して連設した構成としてもよい。つまり、糊代部１４９は第１構成部Ｂ−１及び第２構成部Ｂ−２において糊代部１４９が接着されるブランク（つまり、第２構成部Ｂ−２）を一方のブランクとした場合に他方のブランク（つまり、第１構成部Ｂ−１）に形成されている。
【０１０６】
また、接続部（第１接続部）２００は、正面部本体１２２の右側面側の辺部と、該辺部から連設された辺部２００ａと、辺部２００ａから連設された辺部２００ｂと、辺部２００ｂから連設された辺部２００ｃと、辺部２００ｃから連設された辺部２００ｄと、辺部２００ｄから連設された辺部で外側右側面部１３２の正面側の辺部とで囲まれた形状を呈し、辺部２００ａは、正面部本体１２２と帯状部１２４間の折れ線の延長線上に形成され、辺部２００ｂは辺部２００ａに対して直角に形成され、辺部２００ｃは辺部２００ｂに対して直角に形成され、辺部２００ｄは、辺部２００ｃに対して鋭角をなしている。辺部２００ｂ、２００ｃ、２００ｄは直線状となっている。
【０１０７】
また、正面部本体１２２の右側面側の辺部と外側右側面部１３２の正面側の辺部間の角部からは折れ線（第１折れ線）２０６ａが形成され、折れ線２０６ａは正面部本体１２２の右側面側の辺部及び外側右側面部１３２の正面側の辺部に対して４５度の角度に形成されている。
【０１０８】
また、折れ線２０６ａの端部と辺部２００ａと辺部２００ｂ間の角部間には直線状の切込み２０６ｂが形成され、切込み２０６ｂは、正面部本体１２２との距離が折れ線２０６ａに近づくほど短くなるように形成されている。
【０１０９】
接続部２００は、折れ線２０６ａ及び切込み２０６ｂを介して２つの領域に区画され、正面部本体１２２側の領域が連結部（第１連結部）２０２となり、外側右側面部１３２側の領域が接着部（第１接着部）２０４となる。接着部２０４は、外側右側面部１３２の内側の面に接着されている（図１６参照）。つまり、接続部２００は、折れ線２０６ａを介して外側右側面部１３２側の領域を有し、外側右側面部１３２の内側の面に接着された接着部２０４と、折れ線２０６ａを介して正面部本体１２２側の領域を有する連結部２０２とを有している。接着部２０４が外側右側面部１３２に接着された状態では、辺部２００ｄは辺部１３２ｄに沿って辺部１３２ｄと平行になっている。
【０１１０】
また、接続部２１０は、第１構成部Ｂ−１の展開状態において、接続部２００と左右対称に形成され、正面部本体１２２の左側面側の辺部と、該辺部から連設された辺部２１０ａと、辺部２１０ａから連設された辺部２１０ｂと、辺部２１０ｂから連設された辺部２１０ｃと、辺部２１０ｃから連設された辺部２１０ｄと、辺部２１０ｄから連設された辺部で外側左側面部１４２の正面側の辺部とで囲まれた形状を呈し、辺部２１０ａは、正面部本体１２２と帯状部１２４間の折れ線の延長線上に形成され、辺部２１０ｂは辺部２１０ａに対して直角に形成され、辺部２１０ｃは辺部２１０ｂに対して直角に形成され、辺部２１０ｄは、辺部２１０ｃに対して鋭角をなしている。辺部２１０ｂ、２１０ｃ、２１０ｄは直線状となっている。
【０１１１】
また、正面部本体１２２の左側面側の辺部と外側左側面部１４２の正面側の辺部間の角部からは折れ線（第２折れ線）２１６ａが形成され、折れ線２１６ａは正面部本体１２２の左側面側の辺部及び外側左側面部１４２の正面側の辺部に対して４５度の角度に形成されている。
【０１１２】
また、折れ線２１６ａの端部と辺部２１０ａと辺部２１０ｂ間の角部間には直線状の切込み２１６ｂが形成され、切込み２１６ｂは、正面部本体１２２との距離が折れ線２１６ａに近づくほど短くなるように形成されている。
【０１１３】
接続部２１０は、折れ線２１６ａ及び切込み２１６ｂを介して２つの領域に区画され、正面部本体１２２側の領域が連結部（第２連結部）２１２となり、外側左側面部１４２側の領域が接着部（第２接着部）２１４となる。接着部２１４は、外側左側面部１４２の内側の面に接着されている（図１６参照）。つまり、接続部２１０は、折れ線２１６ａを介して外側左側面部１４２側の領域を有し、外側左側面部１４２の内側の面に接着された接着部２１４と、折れ線２１６ａを介して正面部本体１２２側の領域を有する連結部２１２とを有している。接着部２１４が外側左側面部１４２に接着された状態では、辺部２１０ｄは辺部１４２ｄに沿って辺部１４２ｄと平行になっている。
【０１１４】
なお、折れ線１３７ｂ、１４７ｂ、２０６ａ、２１６ａには、折曲げを容易とするために折れ線に沿って複数の切込みを間隔を介して形成してもよい。
【０１１５】
次に、第２構成部Ｂ−２は、糊代部１４９に接着された背面部１５０と、背面部１５０の上端の辺部から連設された上面部１６０と、上面部１６０の右側面側の辺部から連設された右側面部１７０と、右側面部１７０の正面側の辺部から連設された糊代部１７８と、上面部１６０の左側面側の辺部から連設された左側面部１８０と、左側面部１８０の正面側の辺部から連設された糊代部１８８と、上面部１６０の正面側の辺部から連設された正面部１９０と、背面部１５０の右側面側の辺部から連設された接続部２２０と、背面部１５０の左側面側の辺部から連設された接続部２３０とを有している。
【０１１６】
ここで、背面部１５０は、方形状（略方形状としてもよい）を呈し、糊代部１４９に接着された状態で、その下辺が底面部１１０の背面側の辺部に沿って該辺部に一致した状態で配置されている。つまり、背面部１５０の内側の面が糊代部１４９の外側の面に接着されている。背面部１５０の高さ方向の長さは、右側面部１３０の背面側の端部における高さ方向の長さや左側面部１４０の背面側の端部における高さ方向の長さと同一（略同一としてもよい）となっている。
【０１１７】
また、上面部１６０は、背面部１５０の上端の辺部から折れ線１５５を介して連設され、略方形状を呈し、上面部１６０は、上面部本体１６２と、ジッパー部１６４とを有している。上面部本体１６２は、上面部１６０におけるジッパー部６４以外の領域である。
【０１１８】
ジッパー部１６４は、実施例１におけるジッパー部６４と同様の構成であり、上面部本体１６２と背面部１５０間に設けられていて、背面部１５０との間の切目線１６０ａ（折れ線１５５に沿って形成された切目線）と、上面部本体１６２との間の切目線１６０ｂと、左側面部１８０との間の切目線１６０ｃと、右側面部１７０との間の切目線１６０ｄとに囲まれた形状を呈している。切目線１６０ａ、１６０ｂは、ミシン目状の切目線を有する切目線であり、切目線１６０ｃ、１６０ｄは切込み（直線状の切込み）により形成されている。該切込みは、ブランクの一方の面から他方の面に貫通して形成されている。切目線１６０ａは、直線状のミシン目状の切目線と、該切目線の両側に該切目線の延長線上に形成された切込みとを有するが、切目線１６０ｂは、直線状の切目線と、該直線状のミシン目状の切目線の両側に連設された傾斜状の切込みとを有していて、該傾斜状の切込みは、端部側にいくほど正面側となるように傾斜した形状となっている。つまり、切目線１６０ｂの両側には傾斜した切込みが形成され、該傾斜した切込みと直線状のミシン目状の切目線の境界位置で折れ線１５５に対して直角の折れ線１６４−１、１６４−２が形成されている。また、折れ線１６４−１、１６４−２は、切目線１６０ａにおけるミシン目状の切目線とその両側の切込みの境界位置に形成されている。以上のようにして、ジッパー部１６４は、上面部１６０の背面部１５０側の端部に設けられている。
【０１１９】
ジッパー部１６４は、長手方向の一方の端部をつかみ他方の端部側に引っ張ることにより、切目線１６０ａ、１６０ｂが破断して、背面部１５０及び上面部本体１６２から分離できるようになっている。このジッパー部１６４は、上面部と背面部間の境界位置又はその近傍に設けられた上面部１６０と背面部１５０とを分離するための分離手段であり、特に、上面部１５０と背面部１６０間の境界位置の近傍に設けられた上面部１６０と背面部１５０とを分離するための分離手段であるといえる。
【０１２０】
また、右側面部（第２右側面部）１７０は、上面部６０の右側面側の辺部から折れ線を介して連設され、実施例１の右側面部７０とは円弧状の切込み１７０ｔを有する点以外は実施例１の右側面部７０と同様の構成である。
【０１２１】
すなわち、右側面部１７０は、方形状を呈し、前後方向には右側面部１３０の前後方向の長さと略同一に（厳密には、若干長く）形成され、蓋部Ｂ２を本体部Ｂ１に対して閉状態にした際に、正面部１９０が正面部１２０の正面側となるように構成されている。また、右側面部１７０の高さ方向の長さは、右側面部１３０の高さ方向の長さと略同一となっている。右側面部１７０は、上面側の辺部１７０ａと、辺部１７０ａから連設された辺部１７０ｂと、辺部１７０ｂから連設された辺部１７０ｃと、辺部１７０ｃから連設された辺部１７０ｄとを有している。辺部１７０ａと辺部１７０ｃとは互いに平行に形成され、辺部１７０ｂと辺部１７０ｄとは互いに平行に形成されている。
【０１２２】
右側面部１７０においては、切目線１７５を介して本体部（第２右側面部本体部）１７２と分離部（第１分離部）１７４とに分離可能に形成されている。すなわち、切目線１７５は、略半円状の開口部１７５ａと、開口部１７５ａから正面斜め下方に形成され、その後、下方に向けて形成された切目線１７５ｂと、開口部１７５ａから背面斜め下方に形成され、その後、下方に向けて形成された切目線１７５ｃとを有している。ここで、切目線１７５ｂは、開口部１７５ａから正面斜め下方に形成された切込みと、該切込みから下方に形成されたミシン目とから形成されている。また、切目線１７５ｃは、切目線１７５ｂと線対称に形成され、開口部１７５ａから背面斜め下方に形成された切込みと、該切込みから下方に形成されたミシン目とから形成されている。この切目線１７５は、全体に略逆Ｕ字状を呈している。この切目線１７５を破断する際には、開口部１７５ａに指を入れて分離部１７４を下方に引っ張ることにより切目線１７５ｂ、１７５ｃが破断することになる。
【０１２３】
また、右側面部１７０には、辺部１７０ａと辺部１７０ｂ間の角部（上面部１６０側で正面部１９０側の角部）から折れ線（第５折れ線）１７０ｓ−１が形成され、さらに、折れ線１７０ｓ−１の延長線上に切込み１７０ｔを介して折れ線（第５折れ線）１７０ｓ−２が形成されている。この折れ線１７０ｓ−１と辺部１７０ａ間の角度α１９は４５度（約４５度としてもよい）となっている。また、折れ線１７０ｓ−１と折れ線１７０ｓ−２の間には、円弧状の切込み１７０ｔが形成されている。切込み１７０ｔは斜め下方に向けて膨出した円弧状であり、切込み１７０ｔの両側の端部からは折れ線１７０ｓ−１と折れ線１７０ｓ−２とが連設されている。
【０１２４】
また、右側面部１７０の正面側の辺部１７０ｂからは折れ線を介して糊代部（第２糊代部）１７８が連設されている。この糊代部１７８は、略台形形状を呈している。糊代部１７８は、正面部１９０の内側の面に接着されている。糊代部１７８が正面部１９０に接着した状態では、正面部１９０の右側面側の辺部が辺部１７０ｂに沿って辺部１７０ｂと一致している。
【０１２５】
また、左側面部（第２左側面部）１８０は、上面部６０の左側面側の辺部から折れ線を介して連設され、実施例１の左側面部８０とは円弧状の切込み１８０ｔを有する点以外は実施例１の左側面部８０と同様の構成である。また、左側面部１８０は、右側面部１７０と対称（本体部Ｂ１の展開状態では、線対称）に形成されているので、詳しい説明を省略する。左側面部１８０は、辺部１８０ａと辺部１８０ｂと辺部１８０ｃと辺部１８０ｄとを有している。
【０１２６】
なお、左側面部１８０においては、切目線１８５を介して本体部（第２左側面部本体部）１８２と分離部（第２分離部）１８４とに分離可能に形成されている。すなわち、切目線１８５は、略半円状の開口部１８５ａと、開口部１８５ａから正面斜め下方に形成され、その後、下方に向けて形成された切目線１８５ｂと、開口部１８５ａから背面斜め下方に形成され、その後、下方に向けて形成された切目線１８５ｃとを有している。
【０１２７】
また、左側面部１８０には、辺部１８０ａと辺部１８０ｂ間の角部（上面部１６０側で正面部１９０側の角部）から折れ線（第６折れ線）１８０ｓ−１が形成され、さらに、折れ線１８０ｓ−１の延長線上に切込み１８０ｔを介して折れ線（第６折れ線）１８０ｓ−２が形成されている。この折れ線１８０ｓ−１と辺部１８０ａ間の角度α２０は４５度（約４５度としてもよい）となっている。また、折れ線１８０ｓ−１と折れ線１８０ｓ−２の間には、円弧状の切込み１８０ｔが形成されている。切込み１８０ｔは斜め下方に向けて膨出した円弧状であり、切込み１８０ｔの両側の端部からは折れ線１８０ｓ−１と折れ線１８０ｓ−２とが連設されている。
【０１２８】
また、左側面部１８０の正面側の辺部１８０ｂからは折れ線を介して糊代部（第３糊代部）１８８が連設されている。この糊代部１８８は、略台形形状を呈している。糊代部１８８は、正面部１９０の内側の面に接着されている。糊代部１８８が正面部１９０に接着した状態では、正面部１９０の左側面側の辺部が辺部１８０ｂに沿って辺部１８０ｂと一致している。
【０１２９】
なお、上記右側面部１７０において、２つの折れ線１７０ｓ−１、１７０ｓ−２の間に切込み１７０ｔを設ける構成を実施例１の右側面部７０に適用してもよく、また、上記左側面部１８０において、２つの折れ線１８０ｓ−１、１８０ｓ−２の間に切込み１８０ｔを設ける構成を実施例１の左側面部８０に適用してもよい。
【０１３０】
また、正面部（第２正面部）１９０は、上面部１６０の正面側の辺部（背面部１５０とは反対側の辺部）から折れ線を介して形成されている。この正面部１９０は方形状を呈し、高さ方向には、背面部１５０の高さ方向の長さと略同一に形成され、左右方向には、蓋部Ｂ２を本体部Ｂ１に対して閉状態にした際に右側面部１７０が右側面部１３０の外側にあるとともに左側面部１８０が左側面部１４０の外側にあるように、底面部１１０の左右方向の長さよりも長く形成されている。
【０１３１】
また、接続部（第３接続部）２２０は、背面部１５０の右側面側の辺部から折れ線を介して連設され、背面部１５０との間の辺部と、該辺部に対して直角をなし背面部１５０の下辺の延長線上に形成された辺部２２０ａと、辺部２２０ａから連設され、辺部２２０ａに対して鋭角をなす辺部２２０ｂと、辺部２２０ｂから連設され、辺部２２０ｂに対して鈍角をなす辺部２２０ｃとにより囲まれた形状を呈している。
【０１３２】
接続部２２０においては、背面部１５０と接続部２２０間の折れ線と辺部２２０ａ間の角部から折れ線（第３折れ線）２２６ａが形成され、折れ線２２６ａと辺部２２０ａ間の角度α２１は、４５度（略４５度としてもよい）をなしている。また、折れ線２２６ａの該角部とは反対側の端部には円形の開口部２２６ｂが形成され、該開口部２２６ｂから背面部１５０と接続部２２０間の折れ線と平行に切込み２２６ｃが形成されている。
【０１３３】
接続部２２０は、折れ線２２６ａと開口部２２６ｂと切込み２２６ｂとを介して２つの領域に区画され、背面部１５０側の領域が連結部（第３連結部）２２２となり、他方の領域が接着部（第３接着部）２２４となる。接着部２２４は、外側右側面部１３２の内側の面に接着されている。つまり、接続部２２０は、折れ線２２６ａを介して背面部１５０と反対側の領域を有し、外側右側面部１３２の内側の面に接着された接着部２２４と、折れ線２２６ａを介して背面部１５０側の領域を有する連結部２２２とを有している。接着部２２４が外側右側面部１３２に接着された状態では、辺部２１０ａは辺部１３２ｃに沿って辺部１３２ｃと平行になっている。また、辺部２２０ａと辺部２２０ｂ間の角度α２３は、第１構成部Ｂ−１における辺部１３２ｃと辺部１３２ｄ間の角度α２４と同一であり、接着部２２４が外側右側面部１３２に接着された状態では、辺部２２０ｂは辺部１３２ｄに沿って辺部１３２ｄと平行になっている。
【０１３４】
また、接続部（第４接続部）２３０は、背面部１５０の左側面側の辺部から折れ線を介して連設され、背面部１５０との間の辺部と、該辺部に対して直角をなし背面部１５０の下辺の延長線上に形成された辺部２３０ａと、辺部２３０ａから連設され、辺部２３０ａに対して鋭角をなす辺部２３０ｂと、辺部２３０ｂから連設され、辺部２３０ｂに対して鈍角をなす辺部２３０ｃとにより囲まれた形状を呈している。この接続部２３０は、第２構成部Ｂ−２の展開状態においては、接続部２２０と左右対称に形成されている。
【０１３５】
すなわち、接続部２３０においては、背面部１５０と接続部２３０間の折れ線と辺部２３０ａ間の角部から折れ線（第４折れ線）２３６ａが形成され、折れ線２３６ａと辺部２３０ａ間の角度α２２は、４５度（略４５度としてもよい）をなしている。また、折れ線２３６ａの該角部とは反対側の端部には円形の開口部２３６ｂが形成され、該開口部２３６ｂから背面部１５０と接続部２３０間の折れ線と平行に切込み２３６ｃが形成されている。
【０１３６】
接続部２３０は、折れ線２３６ａと開口部２３６ｂと切込み２３６ｃとを介して２つの領域に区画され、背面部１５０側の領域が連結部（第４連結部）２３２となり、他方の領域が接着部（第４接着部）２３４となる。接着部２３４は、外側左側面部１４２の内側の面に接着されている。つまり、接続部２３０は、折れ線２３６ａを介して背面部１５０と反対側の領域を有し、外側左側面部１４２の内側の面に接着された接着部２３４と、折れ線２３６ａを介して背面部１５０側の領域を有する連結部２３２とを有している。接着部２３４が外側左側面部１４２に接着された状態では、辺部２３０ａは辺部１４２ｃに沿って辺部１４２ｃと平行になっている。また、辺部２２０ａと辺部２２０ｂ間の角度α２３は、第１構成部Ｂ−１における辺部１３２ｃと辺部１３２ｄ間の角度α２４と同一であり、接着部２２４が外側右側面部１３２に接着された状態では、辺部２３０ｂは辺部１４２ｄに沿って辺部１４２ｄと平行になっている。
【０１３７】
なお、折れ線２２６ａ、２３６ａには、折曲げを容易とするために折れ線に沿って複数の切込みを間隔を介して形成してもよい。
【０１３８】
本体部Ｂ１を組み立てた状態においては、正面部１２０（特に、正面部本体１２２と折返し片部１２６）と右側面部１３０（特に、外側右側面部１３２と内側右側面部１３６）と左側面部４０（特に、外側左側面部１４２と内側左側面部１４６）と背面部１５０は、底面部１１０に対して直角（略直角としてもよい）となり（つまり、正面部１２０と右側面部１３０と左側面部１４０と背面部１５０とは、底面部１１０に対して起立した状態となっている）、正面部１２０と背面部１５０とは互いに平行であり、右側面部１３０と左側面部１４０とは互いに平行であり、背面部１５０は、右側面部１３０や左側面部１４０と直角となる。
【０１３９】
また、正面部１２０において、突状部１２６ａ、１２６ｂが開口部１１０ｃ、１１０ｄに嵌合して、正面部本体１２２と折返し片部１２６とが平行となり、また、突状部１３７ａが開口部１１０ａに嵌合して、外側右側面部１３２が内側右側面部１３６と平行となり、接続部２００と接続部２２０とが折り返した状態で外側右側面部１３２と内側右側面部１３６間に位置し、また、突状部１４７ａが開口部１１０ｂに嵌合して、外側左側面部１４２が内側左側面部１４６と平行となり、接続部２１０と接続部２３０とが折り返した状態で外側左側面部１４２と内側左側面部１４６間に位置している。
【０１４０】
蓋部Ｂ２を組み立てた状態においては、右側面部１７０と左側面部１８０と正面部１９０は、上面部１６０に対して直角（略直角としてもよい）となる。
【０１４１】
展開状態の第１構成部Ｂ−１と第２構成部Ｂ−２とから包装箱Ｂを製造するには、第１構成部Ｂ−１において、正面部１２０を底面部１１０に対して折り返した状態とするとともに、接続部２００を外側右側面部１３２に対して折り返して、接着部２０４を外側右側面部１３２に接着し、接続部２１０を外側左側面部１４２に対して折り返して、接着部２１４を外側左側面部１４２に接着する（図１６〜図１８参照）。また、第２構成部Ｂ−２において、糊代部１７８、１８８を正面部１９０の内側の面に接着させる。
【０１４２】
また、糊代部１４９の外側の面を背面部１５０の内側の面に接着し、接着部２２４の内側の面（背面部１５０の内側の面と同じ側の面）を外側右側面部１３２の内側の面に接着するとともに、接着部２３４の内側の面（背面部１５０の内側の面と同じ側の面）を外側左側面部１４２の内側の面に接着する。以上のようにして、包装箱Ｂが製造される。
【０１４３】
なお、第１構成部Ｂ−１を形成する段ボールについて、一方のライナーを印刷が施されたライナーを用いることにより、該ライナーの側の面を外側となるように製造することにより、本体部Ｂ１の正面部１２０の外側の面から内側の面にかけての領域（つまり、正面部本体１２２と帯状部１２４と折返し片部１２６の露出面）と、右側面部１３０の外側の面から内側の面にかけての領域（つまり、外側右側面部１３２と帯状部１３４と内側右側面部１３６の露出面）と、左側面部１４０の外側の面から内側の面にかけての領域（つまり、外側左側面部１４２と帯状部１４４と内側左側面部１４６の露出面）に印刷面を表示させることができる。なお、第１構成部Ｂ−１の他方のライナーは、本体部Ｂ１の組立て状態において底面部１１０と糊代部１４９の面が露出のみであるので、印刷されたライナーを用いる必要がない。
【０１４４】
また、第２構成部Ｂ−２については、背面部１５０と接続部２２０、２３０以外の部分は商品の陳列時には取り除かれるので、ライナーに印刷を施されていない段ボールを使用すればよく、よって、第１構成部Ｂ−１の段ボール素材と第２構成部Ｂ−２の段ボール素材を異なるものとすることにより（つまり、第１構成部Ｂ−１を印刷紙を一方のライナーに使用した段ボールを使用し、第２構成部Ｂ−２の２つのライナーは印刷が施されていないものを用いることにより）、第１構成部Ｂ−１の一方のライナーのみを印刷紙とすればよいので、コストを抑えながら商品の陳列状態において印刷面を外部に表示させることができる。
【０１４５】
なお、第２構成部Ｂ−２の背面部１５０は本体部Ｂ１の背面に位置し、商品が収納された状態では商品に隠れることから、特に背面部１５０に印刷紙を使用する必要はないといえる。また、接続部２２０は、本体部Ｂ１の組立て状態においては、右側面部１３０内に隠れ、接続部２３０は、本体部Ｂ１の組立て状態においては、左側面部１４０内に隠れるので、特に印刷紙を使用する必要はないといえる。
【０１４６】
上記構成の包装箱Ｂの使用状態について説明する。包装箱Ｂにおいては、第１構成部Ｂ−１において、正面部１２０と右側面部１３０と左側面部１４０とを展開した状態とし、第２構成部Ｂ−２において、右側面部１７０を折れ線１７０ｓ−１、１７０ｓ−２を介して折曲し、左側面部１８０を折れ線１８０ｓ−１、１８０ｓ−２を介して折曲して、正面部１９０を上面部１６０側に折り返した状態とすることにより、第２構成部Ｂ−２を折り畳んだ状態とでき、よって、図１７、図１８に示すように包装箱Ｂ全体を扁平状に折り畳んだ状態とすることができる。これにより、包装箱Ａの保管や運搬に際して省スペースを図ることができる。
【０１４７】
次に、図１７、図１８に示すように包装箱Ｂを折り畳んだ状態から本体部Ｂ１を組み立てることにより、図２０に示す状態となる。
【０１４８】
すなわち、図１９に示すように、外側右側面部１３２と外側左側面部１４２とを底面部１１０に対して起立させていくと、接続部２００、２１０、２２０、２３０が折り返した状態となっていき、正面部１２０と背面部１５０も起立した状態になっていく。その後、内側右側面部１３６を外側右側面部１３２の内側に移動させて、内側右側面部１３６における突状部１３７ａを開口部１１０ａに嵌合させることにより、接続部２００が折れ線２０６ａを介して折り返した状態となって外側右側面部１３２と内側右側面部１３６間に配置されるとともに、接続部２２０が折れ線２２６ａを介して折り返した状態となって外側右側面部１３２と内側右側面部１３６間に配置され、また、内側右側面部１３６を外側右側面部１３２の内側に移動させて、内側左側面部１４６における突状部１４７ａを開口部１１０ｂに嵌合させることにより、接続部２１０が折れ線２１６ａを介して折り返した状態となって外側左側面部１４２と内側左側面部１４６間に配置されるとともに、接続部２３０が折れ線２３６ａを介して折り返した状態となって外側左側面部１４２と内側左側面部１４６間に配置され、右側面部１３０と左側面部１４０とを組み立てられる。
【０１４９】
なお、内側右側面部１３６を外側右側面部１３２の内側に移動させる際に、内側右側面部１３６が正面部１２０に接触する場合があるが、内側右側面部１３６において先端部１３６−２が本体部１３６−１に対して折曲するので、内側右側面部１３６を外側右側面部１３２の内側に移動させるのに支障とならず、内側左側面部１４６を外側左側面部１４２の内側に移動させる際に、内側左側面部１４６が正面部１２０に接触する場合があるが、内側左側面部１４６において先端部１３６−２が本体部１４６−１に対して折曲するので、内側左側面部１４６を外側左側面部１４２の内側に移動させるのに支障とならない。
【０１５０】
その後、正面部１２０において、折返し片部１２６の突状部１２６ａ、１２６ｂを開口部１１０ｃ、１１０ｄに嵌合させる。以上のようにして、図２０に示すように、本体部Ｂ１が組み立てられる。
【０１５１】
図２０に示す状態から右側面部１７０と左側面部１８０を平板状にする（つまり、折曲状態の右側面部１７０と左側面部１８０を平板状にする）ことにより、図１３に示す状態となる。
【０１５２】
その後、本体部Ｂ１内に商品（被収納物）を収納し、その後、蓋部Ｂ２を本体部Ｂ１に対して閉状態とする。つまり、正面部１９０や糊代部１７８、１８８が正面部１２０の外側（つまり、正面側）にあり、右側面部１７０が右側面部１３０に沿って右側面部１３０の外側（右側面側）にあり、左側面部１８０が左側面部１４０に沿って左側面部１４０の外側（左側面側）にあるようにする。これにより、包装箱Ｂは、図２１に示す状態となる。
【０１５３】
その後、包装箱Ｂを上下逆の状態とし、図２２に示すように、分離部１７４から底面部１１０を経て分離部１８４にまで接着テープＴを貼着する。その後、包装箱Ｂを上下逆にして上下方向の向きをもとに戻して、図２３に示す状態とする。なお、包装箱Ｂの正面側と背面側の一方を持ち上げて、底部を設置面に対して斜めの状態として、接着テープＴを貼着してもよい。これにより、蓋部Ｂ２が本体部Ｂ１に固定された状態となる。この状態で、商品の陳列場所にまで運ぶ。
【０１５４】
包装箱Ｂを商品の陳列場所にまで運んだ後に商品を陳列するには、蓋部Ｂ２を本体部Ｂ１から取り外す。すなわち、開口部１７５ａに指を入れて分離部１７４を下方に引っ張ることにより切目線１７５ｂ、１７５ｃが破断することにより分離部１７４を本体部１７２に対して分離し、開口部１８５ａに指を入れて分離部１８４を下方に引っ張ることにより切目線１８５ｂ、１８５ｃが破断することにより分離部１８４を本体部１８２に対して分離することにより図２４に示す状態とする。
【０１５５】
その後、図２５に示すように、ジッパー部１６４の長手方向の一方の端部を上方に引っ張り、ジッパー部１６４を上面部本体１６２及び背面部１５０から分離して図２６に示す状態とする。つまり、ジッパー部１６４を包装箱Ｂから取り除く。これにより、蓋部Ｂ２は本体部Ｂ１と分離するので、蓋部Ｂ２を取り外すことにより図２７に示す状態となる。蓋部Ｂ２を取り外す際には、右側面部１７０を折れ線１７０ｓ−１、１７０ｓ−２を介して外側の面において若干山折りした状態とすることにより切込み１７０ｔによる突状部が外側に突出し、左側面部１８０を折れ線１８０ｓ−１、１８０ｓ−２を介して外側の面において若干山折りした状態とすることにより切込み１８０ｔによる突状部が外側に突出するので、これらの突状部に指で係止して上方に引き上げることにより、蓋部Ｂ２を引き上げしやすい。なお、図１１の状態においては、本体部Ａ１の内部に収納された商品が表れる。
【０１５６】
その後、接着テープＴを底面部１１０から剥がして、分離部１７４、１８４及び接着テープＴを取り外すことにより、図２８に示す状態となるので、この図２８に示す状態で商品を陳列する。なお、接着テープＴを底面部１１０から剥がす際には底面部１０の一方の端部を持ち上げて底面部１１０を傾斜させることになるが、本体部Ａ１に商品が収納されているので、商品の重量が大きく底面部１１０の一方の端部を持ち上げるのが困難な場合には、接着テープＴを底面部１１０の端部位置で切断することにより、接着テープＴの一部は底面部１１０の下面に残っているが、分離部１７４、１８４と接着テープＴにおける底面部１１０から露出した部分を除外して見栄えに支障のないようにすることができる。
【０１５７】
以上のように、本実施例の包装箱においては、接着テープＴを剥がした跡は底面部１１０の下面に残るのみであり、また、接着テープＴにおける底面部１１０から露出した部分を除外した場合でも接着テープは底面部の下面に残るのみであるので、見栄えが悪くなることがなく、結果として、商品を包装した状態において用いた接着テープが商品の展示状態において見栄えを悪くすることがない。
【０１５８】
また、本体部Ｂ１と蓋部Ｂ２とは上面部１６０と背面部１５０間の折れ線を介して連設され、また、ジッパー部１６４は、切目線を介して背面部１５０及び上面部本体１６２と連設されているので、特許文献２の紙箱のように係合孔に係合片を係合させて連結する場合と比べて、箱全体の強度を保つことができ、また、図２２、図２３のように接着テープＴを貼着した状態では、分離部１７４から底面部１１０を経て分離部１８４にかけて接着テープＴを貼着するので、包装状態において十分強度を保つことができる。よって、重量のある商品を包装するのに支障がない。また、底面部１１０は、１枚の平板状の部材により形成されているので、重量の重い商品を収納しても、底面部１１０の底が抜けるおそれがない。
【０１５９】
また、本実施例の包装箱Ｂでは、特許文献３の場合と異なり、右側面部１３０の一部や左側面部１４０の一部が分離して除かれることがないので、商品の陳列状態における両側の側面部のデザインの自由度が制限されることがない。
【０１６０】
また、蓋部Ａ２を本体部Ａ１から分離する際には、ジッパー部６４を引っ張るのみでよいので操作が容易である。
【０１６１】
また、接続部２００を介して正面部１２０と右側面部１３０とが接続され、接続部２２０を介して背面部１５０と右側面部１３０とが接続され、また、接続部２１０を介して正面部１２０と左側面部１４０とが接続され、接続部２３０を介して背面部１５０と左側面部１４０とが接続されているので、外側右側面部１３２と外側左側面部１４２とを底面部１１０に対して起立させると、正面部１２０と背面部１５０も自動的に起立した状態になるので、簡単な操作で本体部Ｂ１を組み立てることができる。
【０１６２】
なお、上記の説明において、包装箱Ｂが２つのシート状のブランクにより構成される（つまり、第１構成部Ｂ−１と第２構成部Ｂ−２により構成される）としたが、１枚のシート状のブランクにより形成してもよい。すなわち、背面部１５０を底面部１１０から折れ線を介して連設させる（つまり、糊代部１４９は設けられない）ことにより、１枚のシート状のブランクにより形成してもよい。なお、その場合には、ブランクの展開状態において、外側右側面部１３２と接続部２２０間には、隙間又は切込みを設け、外側左側面部１４２と接続部２３０間には、隙間又は切込みを設ける。包装箱Ｂを１枚のシート状のブランクにより形成した場合には、上記のように、コストを抑えながら商品の陳列状態において印刷面を外部に表示させるという効果は得られない（つまり、ライナーに印刷紙を用いる場合には、ブランクを構成する段ボールの一方のライナー全体が印刷紙となる）が、１枚のブランクで構成できるというメリットがある。
【０１６３】
また、上記の説明において、上面部１６０の背面部１５０側の端部にジッパー部１６４を設けることにより、ジッパー部１６４を引き剥がすことにより蓋部Ｂ２を本体部Ｂ１から分離するものとして説明したが、ジッパー部を背面部１５０における上面部１６０側の端部に設けるようにしてもよい。つまり、その場合には、背面部１５０は、上面部１６０から切目線を介して連設されたジッパー部と、該ジッパー部から切目線を介して連設された背面部本体とから構成されることになる。
【０１６４】
また、ジッパー部を形成する代わりに、分離手段として、背面部１５０と上面部１６０間の折れ線に沿って内側にカットテープ（テープ状部材（例えば、ポリプロピレン等の合成樹脂製のテープ状部材））を貼り付け、カットテープの少なくとも一方の端部を外部に露出するようにして、該カットテープを背面部１５０と上面部１６０間の折れ線に沿って引っ張ることにより、背面部１５０と上面部１６０間の折れ線を破断することにより、蓋部Ｂ２を本体部Ｂ１から分離するようにしてもよい。この場合、カットテープが、上面部１６０と背面部１５０間の境界位置に設けられた上面部１６０と背面部１５０とを分離するための分離手段であるといえる。なお、背面部１５０と上面部１６０間の折れ線には、カットテープによる破断が容易となるように切目線（例えば、ミシン目状の切目線）を設けるようにするのが好ましい。この場合でも、背面部１５０と上面部１６０間の折れ線に沿って切目線が形成され、その内側にカットテープが貼着される構成であるので、特許文献２の紙箱のように係合孔に係合片を係合させる構成と比べて、強度が弱いという問題が生じることがない。また、蓋部Ｂ２を本体部Ｂ１から分離する際には、カットテープを引っ張るのみでよいので操作が容易である。
【０１６５】
また、ジッパー部を形成する代わりに、分離手段として、上面部１６０と背面部１５０間の折れ線に沿ってミシン目状の切目線を形成し、該切目線を破断することにより蓋部Ｂ２を本体部Ｂ１から分離するようにしてもよい。この場合、該ミシン目状の切目線が、上面部１６０と背面部１５０間の境界位置に設けられた上面部１６０と背面部１５０とを分離するための分離手段であるといえる。つまり、分離手段は、ミシン目状の切込み（ブランクの一方の面から他方の面まで貫通した切込み）により形成されている。この場合でも、背面部１５０と上面部１６０間の折れ線に沿って切目線が形成された構成であるので、特許文献２の紙箱のように係合孔に係合片を係合させる構成と比べて、強度が弱いという問題が生じることがない。
【０１６６】
また、糊代部１７８は右側面部１７０から連設されているが、糊代部を正面部１９０の右側面側の辺部から連設し、該糊代部を右側面部１７０の内側に接着してもよい。また、糊代部１８８は左側面部１８０から連設されているが、糊代部を正面部１９０の左側面側の辺部から連設し、該糊代部を左側面部８０の内側に接着してもよい。
【符号の説明】
【０１６７】
Ａ、Ｂ  包装箱
Ａ１、Ｂ１、７２、８２、１７２、１８２  本体部
Ａ２、Ｂ２  蓋部
Ｂ−１  第１構成部
Ｂ−２  第２構成部
１０、１１０  底面部
１０ａ、７５ａ、８５ａ、１１０ａ、１１０ｂ、１１０ｃ、１１０ｄ、１７５ａ、１８５ａ  開口部
２０、１２０  正面部
２２、１２２  正面部本体
２４、１２４、１３４、１４４  帯状部
２６、１２６  折返し片部
２６ａ、１２６ａ、１２６ｂ  突状部
３０、７０、１３０、１７０  右側面部
３２、４２  フラップ
３４、４４、７８、８８、１４９、１７８、１８８  糊代部
４０、８０、１４０、１８０  左側面部
５０、１５０  背面部
６０、１６０  上面部
６０ａ、６０ｂ、６０ｃ、６０ｄ、７５、８５、１６０ａ、１６０ｂ、１６０ｃ、１６０ｄ、１７５、１８５  切目線
６２、１６２  上面部本体
６４、１６４  ジッパー部
７４、８４、１７４、１８４  分離部
９０、１９０  正面部
１３２  外側右側面部
１３６  内側右側面部
１４２  外側左側面部
１４６  内側左側面部
２００、２１０、２２０、２３０  接続部
２０２、２１２、２２２、２３２  連結部
２０４、２１４、２２４、２３４  接着部
１７０ｓ−１、１７０ｓ−２、１８０ｓ−１、１８０ｓ−２、２０６ａ、２１６ａ、２２６ａ、２３６ａ  折れ線
【図１】
0003192350.tif 000003
【図２】
0003192350.tif 000004
【図３】
0003192350.tif 000005
【図４】
0003192350.tif 000006
【図５】
0003192350.tif 000007
【図６】
0003192350.tif 000008
【図７】
0003192350.tif 000009
【図８】
0003192350.tif 000010
【図９】
0003192350.tif 000011
【図１０】
0003192350.tif 000012
【図１１】
0003192350.tif 000013
【図１２】
0003192350.tif 000014
【図１３】
0003192350.tif 000015
【図１４】
0003192350.tif 000016
【図１５】
0003192350.tif 000017
【図１６】
0003192350.tif 000018
【図１７】
0003192350.tif 000019
【図１８】
0003192350.tif 000020
【図１９】
0003192350.tif 000021
【図２０】
0003192350.tif 000022
【図２１】
0003192350.tif 000023
【図２２】
0003192350.tif 000024
【図２３】
0003192350.tif 000025
【図２４】
0003192350.tif 000026
【図２５】
0003192350.tif 000027
【図２６】
0003192350.tif 000028
【図２７】
0003192350.tif 000029
【図２８】
0003192350.tif 000030